(57)【要約】  送電線（１）における第１の地点（１１）に一端が接続されており、送電線（１）に損傷が生じることでサージ信号が発生したとき、第１の地点（１１）を流れている送信信号に同期して、サージ信号を検出する第１のサージ検出部（２０）と、送電線（１）における第１の地点（１１）と異なる第２の地点（１２）に一端が接続されており、第２の地点（１２）を流れている送信信号に同期して、サージ信号を検出する第２のサージ検出部（３０）と、第１のサージ検出部（２０）により検出されたサージ信号と第２のサージ検出部（３０）により検出されたサージ信号とから、送電線（１）の損傷位置である事故点（１３）を算出する事故点算出部（４０）とを備えるように、事故点標定装置を構成した。
2020044398.tif 000002
【特許請求の範囲】
【請求項１】
電力を送信信号として伝送する送電線における第１の地点に一端が接続されており、前記送電線に損傷が生じることでサージ信号が発生したとき、前記第１の地点を流れている送信信号に同期して、前記サージ信号を検出する第１のサージ検出部と、
前記送電線における前記第１の地点と異なる第２の地点に一端が接続されており、前記第２の地点を流れている送信信号に同期して、前記サージ信号を検出する第２のサージ検出部と、
前記第１のサージ検出部により検出されたサージ信号と前記第２のサージ検出部により検出されたサージ信号とから、前記送電線の損傷位置である事故点を算出する事故点算出部と
を備えた事故点標定装置。
【請求項２】
前記第１のサージ検出部は、
前記第１の地点を流れている信号から、送信信号及びサージ信号のそれぞれを抽出する第１の信号分離部と、
前記第１の信号分離部により抽出された送信信号に同期している第１のクロック信号を生成する第１の同期信号生成部と、
前記第１の同期信号生成部により生成された第１のクロック信号に同期して、前記第１の信号分離部により抽出されたサージ信号をアナログ信号からデジタル信号に変換し、当該デジタル信号を第１のデジタル信号として前記事故点算出部に出力する第１の変換部とを備え、
前記第２のサージ検出部は、
前記第２の地点を流れている信号から、送信信号及びサージ信号のそれぞれを抽出する第２の信号分離部と、
前記第２の信号分離部により抽出された送信信号に同期している第２のクロック信号を生成する第２の同期信号生成部と、
前記第２の同期信号生成部により生成された第２のクロック信号に同期して、前記第２の信号分離部により抽出されたサージ信号をアナログ信号からデジタル信号に変換し、当該デジタル信号を第２のデジタル信号として前記事故点算出部に出力する第２の変換部とを備え、
前記事故点算出部は、前記第１の変換部から出力された第１のデジタル信号と前記第２の変換部から出力された第２のデジタル信号との位相差を検出し、前記位相差から、前記事故点を算出することを特徴とする請求項１記載の事故点標定装置。
【請求項３】
前記第１の信号分離部は、
前記第１の地点を流れている信号から、送信信号を抽出し、抽出した送信信号を前記第１の同期信号生成部に出力する第１のフィルタと、
前記第１の地点を流れている信号から、サージ信号を抽出し、抽出したサージ信号を前記第１の変換部に出力する第２のフィルタとを備え、
前記第２の信号分離部は、
前記第２の地点を流れている信号から、送信信号を抽出し、抽出した送信信号を前記第２の同期信号生成部に出力する第３のフィルタと、
前記第２の地点を流れている信号から、サージ信号を抽出し、抽出したサージ信号を前記第２の変換部に出力する第４のフィルタとを備えていることを特徴とする請求項２記載の事故点標定装置。
【請求項４】
前記事故点算出部は、
前記第１の変換部から出力された第１のデジタル信号の角周波数又は前記第２の変換部から出力された第２のデジタル信号の角周波数を検出し、検出した角周波数と前記位相差から前記事故点を算出することを特徴とする請求項２記載の事故点標定装置。
【請求項５】
前記第１のサージ検出部は、
前記第１の信号分離部により抽出された送信信号に同期している第１のトリガ信号を生成する第１のトリガ信号生成部をさらに備え、
前記第２のサージ検出部は、
前記第２の信号分離部により抽出された送信信号に同期している第２のトリガ信号を生成する第２のトリガ信号生成部をさらに備えており、
前記第１の変換部から出力された第１のデジタル信号を第１の遅延時間だけ遅延させて、前記事故点算出部まで伝送する第１の伝送線路と、
前記第１のトリガ信号生成部により生成された第１のトリガ信号を前記第１の遅延時間だけ遅延させて、前記事故点算出部まで伝送する第２の伝送線路と、
前記第２の変換部から出力された第２のデジタル信号を第２の遅延時間だけ遅延させて、前記事故点算出部まで伝送する第３の伝送線路と、
前記第２のトリガ信号生成部により生成された第２のトリガ信号を前記第２の遅延時間だけ遅延させて、前記事故点算出部まで伝送する第４の伝送線路とを備え、
前記事故点算出部は、
前記第１の伝送線路により伝送された第１のデジタル信号と、前記第２の伝送線路により伝送された第１のトリガ信号と、前記第３の伝送線路により伝送された第２のデジタル信号と、前記第４の伝送線路により伝送された第２のトリガ信号とから、前記事故点を算出することを特徴とする請求項２記載の事故点標定装置。
【請求項６】
前記事故点算出部は、
前記第１の伝送線路により伝送された第１のデジタル信号の立ち上がり時刻と、前記第２の伝送線路により伝送された第１のトリガ信号の立ち上がり時刻との時刻差である第１の時刻差を算出する第１の時刻差算出部と、
前記第３の伝送線路により伝送された第２のデジタル信号の立ち上がり時刻と、前記第４の伝送線路により伝送された第２のトリガ信号の立ち上がり時刻との時刻差である第２の時刻差を算出する第２の時刻差算出部と、
前記第１の時刻差算出部により算出された第１の時刻差と、前記第２の時刻差算出部により算出された第２の時刻差とから、前記事故点を算出する事故点算出処理部とを備えていることを特徴とする請求項５記載の事故点標定装置。
【請求項７】
前記送電線は、３本の伝送線路を有しており、前記送電線により伝送される送信信号は、三相交流の信号であり、
前記第１のサージ検出部は、
前記第１の地点を流れている三相交流の信号を合成して第１の合成信号を生成する第１の信号合成部と、
前記３本の伝送線路のうち、いずれか１本の伝送線路における前記第１の地点を流れている信号から、送信信号を抽出する第１のフィルタと、
前記第１のフィルタにより抽出された送信信号に同期している第１のクロック信号を生成する第１の同期信号生成部と、
前記第１の信号合成部により生成された第１の合成信号から、サージ信号を抽出する第２のフィルタと、
前記第１の同期信号生成部により生成された第１のクロック信号に同期して、前記第２のフィルタにより抽出されたサージ信号をアナログ信号からデジタル信号に変換し、当該デジタル信号を第１のデジタル信号として前記事故点算出部に出力する第１の変換部とを備え、
前記第２のサージ検出部は、
前記第２の地点を流れている三相交流の信号を合成して第２の合成信号を生成する第２の信号合成部と、
前記３本の伝送線路のうち、いずれか１本の伝送線路における前記第２の地点を流れている信号から、送信信号を抽出する第３のフィルタと、
前記第３のフィルタにより抽出された送信信号に同期している第２のクロック信号を生成する第２の同期信号生成部と、
前記第２の信号合成部により生成された第２の合成信号から、サージ信号を抽出する第４のフィルタと、
前記第２の同期信号生成部により生成された第２のクロック信号に同期して、前記第４のフィルタにより抽出されたサージ信号をアナログ信号からデジタル信号に変換し、当該デジタル信号を第２のデジタル信号として前記事故点算出部に出力する第２の変換部とを備え、
前記事故点算出部は、前記第１の変換部から出力された第１のデジタル信号と前記第２の変換部から出力された第２のデジタル信号との位相差を検出し、前記位相差から、前記事故点を算出することを特徴とする請求項１記載の事故点標定装置。
【請求項８】
前記第１の同期信号生成部は、
前記第１のフィルタにより送信信号が抽出されなくなり、前記第１のフィルタからの送信信号の出力が途絶えると、送信信号の出力が途絶える前に生成した第１のクロック信号を前記第１の変換部に出力し、
前記第２の同期信号生成部は、
前記第３のフィルタにより送信信号が抽出されなくなり、前記第３のフィルタからの送信信号の出力が途絶えると、送信信号の出力が途絶える前に生成した第２のクロック信号を前記第２の変換部に出力することを特徴とする請求項７記載の事故点標定装置。
【請求項９】
電力を送信信号として伝送する送電線における第１の地点に一端が接続されている第１のサージ検出部が、前記送電線に損傷が生じることでサージ信号が発生したとき、前記第１の地点を流れている送信信号に同期して、前記サージ信号を検出し、
前記送電線における前記第１の地点と異なる第２の地点に一端が接続されている第２のサージ検出部が、前記第２の地点を流れている送信信号に同期して、前記サージ信号を検出し、
事故点算出部が、前記第１のサージ検出部により検出されたサージ信号と前記第２のサージ検出部により検出されたサージ信号とから、前記送電線の損傷位置である事故点を算出する
事故点標定方法。
【発明の詳細な説明】
【技術分野】
【０００１】
この発明は、送電線の損傷位置である事故点を算出する事故点標定装置及び事故点標定方法に関するものである。
【背景技術】
【０００２】
事故点標定装置は、送電線に損傷が生じたときに、送電線の損傷位置である事故点を算出する装置である。
以下の特許文献１には、親局と子局が送電線に接続されており、子局が、送電線のＢ端側の電圧情報を親局に送信し、親局が、子局から送信された電圧情報とＡ端側の電圧情報とに基づいて事故点の標定を行う送電線故障点標定方法が開示されている。
親局と子局は、送電線とは別の通信線を介して接続されており、子局が、通信線を介して、送電線のＢ端側の電圧情報を親局に送信している。
【先行技術文献】
【特許文献】
【０００３】
【特許文献１】特開平９−１６６６４０号公報
【発明の概要】
【発明が解決しようとする課題】
【０００４】
特許文献１に開示されている送電線故障点標定方法では、子局が、通信線を介して、Ｂ端側の電圧情報を親局に送信している。
Ｂ端側の電圧情報は、子局から親局に伝送されるまでの間に、通信線において伝送遅延を受けるほか、電圧情報を送信する子局のモデムおいて送信処理遅延を受け、また、電圧情報を受信する親局のモデムにおいて受信処理遅延を受ける。
したがって、親局が、子局から送信された電圧情報とＡ端側の電圧情報とに基づいて、事故点の標定を行っても、Ｂ端側の電圧情報が受けている遅延の影響で、事故点を正確に標定することができないという課題があった。【０００５】
この発明は上記のような課題を解決するためになされたもので、通信線を介して、電圧情報等を送受信することなく、送電線の事故点を算出することができる事故点標定装置及び事故点標定方法を得ることを目的とする。
【課題を解決するための手段】
【０００６】
この発明に係る事故点標定装置は、電力を送信信号として伝送する送電線における第１の地点に一端が接続されており、送電線に損傷が生じることでサージ信号が発生したとき、第１の地点を流れている送信信号に同期して、サージ信号を検出する第１のサージ検出部と、送電線における第１の地点と異なる第２の地点に一端が接続されており、第２の地点を流れている送信信号に同期して、サージ信号を検出する第２のサージ検出部と、第１のサージ検出部により検出されたサージ信号と第２のサージ検出部により検出されたサージ信号とから、送電線の損傷位置である事故点を算出する事故点算出部とを備えるようにしたものである。
【発明の効果】
【０００７】
この発明によれば、通信線を介して、電圧情報等を送受信することなく、送電線の事故点を算出することができる。
【図面の簡単な説明】
【０００８】
【図１】実施の形態１に係る事故点標定装置を示す構成図である。
【図２】実施の形態１に係る事故点標定装置の第１の信号分離部２１を示す構成図である。
【図３】実施の形態１に係る事故点標定装置の第２の信号分離部３１を示す構成図である。
【図４】実施の形態１に係る事故点標定装置の事故点算出部４０を示す構成図である。
【図５】図１に示す事故点標定装置の処理手順である事故点標定方法を示すフローチャートである。
【図６】実施の形態２に係る事故点標定装置を示す構成図である。
【図７】実施の形態２に係る事故点標定装置の事故点算出部８０を示す構成図である。
【図８】第１のサージ検出部２０が取り扱う信号を示す説明図である。
【図９】第２のサージ検出部３０が取り扱う信号を示す説明図である。
【図１０】実施の形態３に係る事故点標定装置を示す構成図である。
【図１１】実施の形態３に係る事故点標定装置の第１の同期信号生成部１０３を示す構成図である。
【図１２】実施の形態３に係る事故点標定装置の第２の同期信号生成部１１３を示す構成図である。
【発明を実施するための形態】
【０００９】
以下、この発明をより詳細に説明するために、この発明を実施するための形態について、添付の図面に従って説明する。
【００１０】
実施の形態１．
図１は、実施の形態１に係る事故点標定装置を示す構成図である。
図１において、送電線１は、１本の線路であり、電力を送信信号Ｓｐとして伝送する。
図１に示す事故点標定装置では、送信信号Ｓｐが、第１の地点１１から第２の地点１２に向かう方向に流れている。
図１に示す事故点標定装置では、送電線１に生じる損傷は、一部の損傷のみであって、切断されていないものとする。したがって、送電線１に損傷が生じても、送電線１における送信信号Ｓｐの伝送は、継続されるものとする。
【００１１】
第１の地点１１は、第１のサージ検出部２０の入力端子２０ａ（一端）が送電線１に接続されている地点である。
第２の地点１２は、第２のサージ検出部３０の入力端子３０ａ（一端）が送電線１に接続されている地点であり、第１の地点１１と異なる地点である。
事故点１３は、送電線１に損傷が生じている位置であり、第１の地点１１と第２の地点１２との間の位置である。
送電線１に損傷が生じることで発生したサージ信号Ｓｓは、事故点１３から第１の地点１１に向かう方向に流れ、また、事故点１３から第２の地点１２に向かう方向に流れる。
以下、サージ信号Ｓｓのうち、事故点１３から第１の地点１１に向かう方向に流れるサージ信号をＳｓ＿ａと称し、事故点１３から第２の地点１２に向かう方向に流れるサージ信号をＳｓ＿ｂと称する。
サージ信号Ｓｓ＿ａ，Ｓｓ＿ｂの周波数は、送信信号Ｓｐの周波数よりも大きいものとする。
【００１２】
第１のサージ検出部２０は、第１の信号分離部２１、第１の同期信号生成部２２及び第１の変換部２３を備えている。
第１のサージ検出部２０は、入力端子２０ａが第１の地点１１と接続され、出力端子２０ｂが事故点算出部４０の第１の入力端子４０ａと接続されている。
第１のサージ検出部２０は、送電線１に損傷が生じることでサージ信号Ｓｓが発生したとき、第１の地点１１を流れている送信信号Ｓｐに同期して、サージ信号Ｓｓ＿ａを検出する。
第１のサージ検出部２０は、サージ信号Ｓｓ＿ａをアナログ信号からデジタル信号に変換し、当該デジタル信号を第１のデジタル信号Ｄａとして事故点算出部４０に出力する。
【００１３】
第１の信号分離部２１は、入力端子２１ａが第１の地点１１と接続され、第１の出力端子２１ｂが第１の同期信号生成部２２の入力端子２２ａと接続され、第２の出力端子２１ｃが第１の変換部２３の入力端子２３ａと接続されている。
第１の信号分離部２１は、第１の地点１１を流れている信号から、送信信号Ｓｐ＿ａ及びサージ信号Ｓｓ＿ａのそれぞれを抽出する。ここでは、第１の信号分離部２１により抽出された送信信号と、送電線１を流れている送信信号Ｓｐとを区別するため、第１の信号分離部２１により抽出された送信信号を「Ｓｐ＿ａ」のように表記している。
第１の信号分離部２１は、抽出した送信信号Ｓｐ＿ａを第１の同期信号生成部２２に出力し、抽出したサージ信号Ｓｓ＿ａを第１の変換部２３に出力する。
【００１４】
第１の同期信号生成部２２は、例えば、ＰＬＬ（Ｐｈａｓｅ  Ｌｏｃｋｅｄ  Ｌｏｏｐ）回路、逓倍器又はＤＤＳ（Ｄｉｒｅｃｔ  Ｄｉｇｉｔａｌ  Ｓｙｎｔｈｅｓｉｚｅｒ）によって実現される。
第１の同期信号生成部２２は、入力端子２２ａが第１の信号分離部２１の第１の出力端子２１ｂと接続され、出力端子２２ｂが第１の変換部２３のクロック端子２３ｂと接続されている。
第１の同期信号生成部２２は、第１の信号分離部２１により抽出された送信信号Ｓｐ＿ａに同期している第１のクロック信号Ｃａを生成し、第１のクロック信号Ｃａを第１の変換部２３に出力する。
第１の信号分離部２１により抽出された送信信号Ｓｐ＿ａの周波数と、第１の同期信号生成部２２により生成された第１のクロック信号Ｃａの周波数とは、同じであってもよいし、異なっていてもよい。
図１には記載していないが、第１の同期信号生成部２２が、ＰＬＬ回路又はＤＤＳによって実現される場合、外部から与えられる制御信号に従って第１のクロック信号Ｃａの周波数が決定される。
【００１５】
第１の変換部２３は、例えば、ΔΣ型又はフラッシュ型のＡＤＣ（Ａｎａｌｏｇ  ｔｏ  Ｄｉｇｉｔａｌ  Ｃｏｎｖｅｒｔｅｒ）によって実現される。
第１の変換部２３は、入力端子２３ａが第１の信号分離部２１の第２の出力端子２１ｃと接続され、クロック端子２３ｂが第１の同期信号生成部２２の出力端子２２ｂと接続され、出力端子２３ｃが事故点算出部４０の第１の入力端子４０ａと接続されている。
第１の変換部２３は、第１の同期信号生成部２２により生成された第１のクロック信号Ｃａに同期して、第１の信号分離部２１により抽出されたサージ信号Ｓｓ＿ａであるアナログ信号を標本化することで、アナログ信号をデジタル信号に変換する。
第１の変換部２３は、当該デジタル信号を第１のデジタル信号Ｄａとして事故点算出部４０に出力する。
【００１６】
第２のサージ検出部３０は、第２の信号分離部３１、第２の同期信号生成部３２及び第２の変換部３３を備えている。
第２のサージ検出部３０は、入力端子３０ａが第２の地点１２と接続され、出力端子３０ｂが事故点算出部４０の第２の入力端子４０ｂと接続されている。
第２のサージ検出部３０は、送電線１に損傷が生じることでサージ信号Ｓｓが発生したとき、第２の地点１２を流れている送信信号Ｓｐに同期して、サージ信号Ｓｓ＿ｂを検出する。
第２のサージ検出部３０は、サージ信号Ｓｓ＿ｂをアナログ信号からデジタル信号に変換し、当該デジタル信号を第２のデジタル信号Ｄｂとして事故点算出部４０に出力する。
【００１７】
第２の信号分離部３１は、入力端子３１ａが第２の地点１２と接続され、第１の出力端子３１ｂが第２の同期信号生成部３２の入力端子３２ａと接続され、第２の出力端子３１ｃが第２の変換部３３の入力端子３３ａと接続されている。
第２の信号分離部３１は、第２の地点１２を流れている信号から、送信信号Ｓｐ＿ｂ及びサージ信号Ｓｓ＿ｂのそれぞれを抽出する。ここでは、第２の信号分離部３１により抽出された送信信号と、送電線１を流れている送信信号Ｓｐとを区別するために、第２の信号分離部３１により抽出された送信信号を「Ｓｐ＿ｂ」のように表記している。
第２の信号分離部３１は、抽出した送信信号Ｓｐ＿ｂを第２の同期信号生成部３２に出力し、抽出したサージ信号Ｓｓ＿ｂを第２の変換部３３に出力する。
【００１８】
第２の同期信号生成部３２は、例えば、ＰＬＬ回路、逓倍器又はＤＤＳによって実現される。
第２の同期信号生成部３２は、入力端子３２ａが第２の信号分離部３１の第１の出力端子３１ｂと接続され、出力端子３２ｂが第２の変換部３３のクロック端子３３ｂと接続されている。
第２の同期信号生成部３２は、第２の信号分離部３１により抽出された送信信号Ｓｐ＿ｂに同期している第２のクロック信号Ｃｂを生成し、第２のクロック信号Ｃｂを第２の変換部３３に出力する。
第２の信号分離部３１により抽出された送信信号Ｓｐ＿ｂの周波数と、第２の同期信号生成部３２により生成された第２のクロック信号Ｃｂの周波数とは、同じであってもよいし、異なっていてもよい。
図１には記載していないが、第２の同期信号生成部３２が、ＰＬＬ回路又はＤＤＳによって実現される場合、外部から与えられる制御信号に従って第２のクロック信号Ｃｂの周波数が決定される。
なお、第２の同期信号生成部３２により生成された第２のクロック信号Ｃｂの周波数は、第１の同期信号生成部２２により生成された第１のクロック信号Ｃａの周波数と同じである。しかし、第２の同期信号生成部３２により生成された第２のクロック信号Ｃｂの位相は、第１の同期信号生成部２２により生成された第１のクロック信号Ｃａの位相と同期していない。
【００１９】
第２の変換部３３は、例えば、ΔΣ型又はフラッシュ型のＡＤＣによって実現される。
第２の変換部３３は、入力端子３３ａが第２の信号分離部３１の第２の出力端子３１ｃと接続され、クロック端子３３ｂが第２の同期信号生成部３２の出力端子３２ｂと接続され、出力端子３３ｃが事故点算出部４０の第２の入力端子４０ｂと接続されている。
第２の変換部３３は、第２の同期信号生成部３２により生成された第２のクロック信号Ｃｂに同期して、第２の信号分離部３１により抽出されたサージ信号Ｓｓ＿ｂであるアナログ信号を標本化することで、アナログ信号をデジタル信号に変換する。
第２の変換部３３は、当該デジタル信号を第２のデジタル信号Ｄｂとして事故点算出部４０に出力する。
【００２０】
事故点算出部４０は、後述する位相差検出部６１、角周波数検出部６２及び事故点算出処理部６３（図４を参照）を備えており、例えば、ＦＰＧＡ（Ｆｉｅｌｄ  Ｐｒｏｇｒａｍｍａｂｌｅ  Ｇａｔｅ  Ａｒｒａｙ）によって実現される。
事故点算出部４０は、第１の入力端子４０ａが第１のサージ検出部２０の出力端子２０ｂと接続され、第２の入力端子４０ｂが第２のサージ検出部３０の出力端子３０ｂと接続されている。
事故点算出部４０は、第１の変換部２３から出力された第１のデジタル信号Ｄａと第２の変換部３３から出力された第２のデジタル信号Ｄｂとから、送電線１の事故点１３を算出する。
τａは、サージ信号Ｓｓ＿ａが事故点１３から第１の地点１１に到達するまでに要する時間であり、τｂは、サージ信号Ｓｓ＿ｂが事故点１３から第２の地点１２に到達するまでに要する時間である。
送信信号Ｓｐの伝送速度と、サージ信号Ｓｓ＿ａ，Ｓｓ＿ｂの伝送速度とは、同じ伝送速度ｖである。
【００２１】
図２は、実施の形態１に係る事故点標定装置の第１の信号分離部２１を示す構成図である。
図２において、第１のフィルタ５１は、送信信号Ｓｐ＿ａの周波数が通過帯域内にあり、サージ信号Ｓｓ＿ａの周波数が通過帯域外にあるフィルタであり、例えば、ＬＰＦ（Ｌｏｗ  Ｐａｓｓ  Ｆｉｌｔｅｒ）によって実現される。
第１のフィルタ５１は、第１の地点１１を流れている信号に含まれているサージ信号Ｓｓ＿ａを抑圧して、第１の地点１１を流れている信号から送信信号Ｓｐ＿ａを抽出し、送信信号Ｓｐ＿ａを第１の同期信号生成部２２に出力する。
ＬＰＦは、チップインダクタ又はチップキャパシタなどを用いて実現される。ＬＰＦの通過帯域及びサージ信号Ｓｓ＿ａの抑圧量に応じて、ＬＰＦが、マイクロストリップ線路又は同軸共振器などを実装していてもよい。
第２のフィルタ５２は、サージ信号Ｓｓ＿ａの周波数が通過帯域内にあり、送信信号Ｓｐ＿ａの周波数が通過帯域外にあるフィルタであり、例えば、ＨＰＦ（Ｈｉｇｈ  Ｐａｓｓ  Ｆｉｌｔｅｒ）によって実現される。
第２のフィルタ５２は、第１の地点１１を流れている信号に含まれている送信信号Ｓｐ＿ａを抑圧して、第１の地点１１を流れている信号からサージ信号Ｓｓ＿ａを抽出し、サージ信号Ｓｓ＿ａを第１の変換部２３に出力する。
ＨＰＦは、チップインダクタ又はチップキャパシタなどを用いて実現される。ＨＰＦの通過帯域及び送信信号Ｓｐ＿ａの抑圧量に応じて、ＨＰＦが、マイクロストリップ線路又は同軸共振器などを実装していてもよい。
【００２２】
図３は、実施の形態１に係る事故点標定装置の第２の信号分離部３１を示す構成図である。
図３において、第３のフィルタ５３は、送信信号Ｓｐ＿ｂの周波数が通過帯域内にあり、サージ信号Ｓｓ＿ｂの周波数が通過帯域外にあるフィルタであり、例えば、ＬＰＦによって実現される。
第３のフィルタ５３は、第２の地点１２を流れている信号に含まれているサージ信号Ｓｓ＿ｂを抑圧して、第２の地点１２を流れている信号から送信信号Ｓｐ＿ｂを抽出し、送信信号Ｓｐ＿ｂを第２の同期信号生成部３２に出力する。
ＬＰＦの通過帯域及びサージ信号Ｓｓ＿ｂの抑圧量に応じて、ＬＰＦが、マイクロストリップ線路又は同軸共振器などを実装していてもよい。
第４のフィルタ５４は、サージ信号Ｓｓ＿ｂの周波数が通過帯域内にあり、送信信号Ｓｐ＿ｂの周波数が通過帯域外にあるフィルタであり、例えば、ＨＰＦによって実現される。
第４のフィルタ５４は、第２の地点１２を流れている信号に含まれている送信信号Ｓｐ＿ｂを抑圧して、第２の地点１２を流れている信号からサージ信号Ｓｓ＿ｂを抽出し、サージ信号Ｓｓ＿ｂを第２の変換部３３に出力する。
ＨＰＦの通過帯域及び送信信号Ｓｐ＿ｂの抑圧量に応じて、ＨＰＦが、マイクロストリップ線路又は同軸共振器などを実装していてもよい。
【００２３】
図４は、実施の形態１に係る事故点標定装置の事故点算出部４０を示す構成図である。
図４において、位相差検出部６１は、第１の変換部２３から出力された第１のデジタル信号Ｄａの位相と、第２の変換部３３から出力された第２のデジタル信号Ｄｂの位相との位相差Ｄｃを検出し、位相差Ｄｃを事故点算出処理部６３に出力する。
角周波数検出部６２は、第２の変換部３３から出力された第２のデジタル信号Ｄｂを例えば高速フーリエ変換（ＦＦＴ：Ｆａｓｔ  Ｆｏｕｒｉｅｒ  Ｔｒａｎｓｆｏｒｍ）することで、サージ信号Ｓｓ＿ｂの角周波数ωｓを検出する。
ここでは、角周波数検出部６２が、サージ信号Ｓｓ＿ｂの角周波数ωｓを検出している。しかし、これは一例に過ぎず、角周波数検出部６２が、第１の変換部２３から出力された第１のデジタル信号ＤａをＦＦＴすることで、サージ信号Ｓｓ＿ａの角周波数ωｓを検出するようにしてもよい。
【００２４】
事故点算出処理部６３は、位相差検出部６１により検出された位相差Ｄｃと、角周波数検出部６２により検出された角周波数ωｓとから、サージ信号Ｓｓ＿ａが事故点１３から第１の地点１１に到達するまでに要する時間τａを算出する。
事故点算出処理部６３は、サージ信号Ｓｓ＿ａの伝送速度ｖと時間τａとから、事故点１３を算出する。
【００２５】
次に、図１に示す事故点標定装置の動作について説明する。
図５は、図１に示す事故点標定装置の処理手順である事故点標定方法を示すフローチャートである。
ここでは、送電線１以外では、送信信号Ｓｐの伝送遅延及びサージ信号Ｓｓの伝送遅延が発生しないものとする。
【００２６】
まず、送電線１を伝送される送信信号Ｓｐは、以下の式（１）のように表される。
2020044398.tif 000003
式（１）において、ωｐは、送信信号Ｓｐの角周波数、θｐは、送信信号Ｓｐの初期位相である。また、ｔは、時刻であり、以下の式でも同様である。
説明の便宜上、第１の地点１１が、送信信号Ｓｐの出発点であるとすると、第１の地点１１での送信信号Ｓｐ＿ａは、以下の式（２）のように表される。
2020044398.tif 000004
【００２７】
次に、送電線１に損傷が生じることで、損傷位置である事故点１３で発生するサージ信号Ｓｓは、以下の式（３）のように表される。
2020044398.tif 000005
式（３）において、ωｓは、サージ信号Ｓｓの角周波数、θｓは、サージ信号Ｓｓの初期位相である。
【００２８】
サージ信号Ｓｓのうち、事故点１３から第１の地点１１に向かう方向に流れるサージ信号Ｓｓ＿ａは、事故点１３から第１の地点１１に到達するまでに、τａの時間を要する。
したがって、第１の地点１１でのサージ信号Ｓｓ＿ａは、以下の式（４）のように表される。
2020044398.tif 000006
【００２９】
また、サージ信号Ｓｓのうち、事故点１３から第２の地点１２に向かう方向に流れるサージ信号Ｓｓ＿ｂは、事故点１３から第２の地点１２に到達するまでに、τｂの時間を要する。
したがって、第２の地点１２でのサージ信号Ｓｓ＿ｂは、以下の式（５）のように表される。
2020044398.tif 000007
第１の地点１１を出発点とする送信信号Ｓｐは、第２の地点１２に到達するまでに、τａ＋τｂの時間を要する。
したがって、第２の地点１２での送信信号Ｓｐ＿ｂは、以下の式（６）のように表される。
2020044398.tif 000008
【００３０】
第１のサージ検出部２０の第１の信号分離部２１は、第１の地点１１を流れている信号から、送信信号Ｓｐ＿ａ及びサージ信号Ｓｓ＿ａのそれぞれを抽出する（図５のステップＳＴ１）。
以下、第１の信号分離部２１の処理手順を具体的に説明する。
第１のフィルタ５１は、第１の地点１１を流れている信号を入力すると、第１の地点１１を流れている信号に含まれているサージ信号Ｓｓ＿ａを抑圧して、第１の地点１１を流れている信号から送信信号Ｓｐ＿ａを抽出する。
第１のフィルタ５１は、送信信号Ｓｐ＿ａを第１の同期信号生成部２２に出力する。
第２のフィルタ５２は、第１の地点１１を流れている信号を入力すると、第１の地点１１を流れている信号に含まれている送信信号Ｓｐ＿ａを抑圧して、第１の地点１１を流れている信号からサージ信号Ｓｓ＿ａを抽出する。
第２のフィルタ５２は、サージ信号Ｓｓ＿ａを第１の変換部２３に出力する。
【００３１】
第１の同期信号生成部２２は、第１の信号分離部２１から送信信号Ｓｐ＿ａを受けると、送信信号Ｓｐ＿ａに同期している第１のクロック信号Ｃａを生成し、第１のクロック信号Ｃａを第１の変換部２３に出力する（図５のステップＳＴ２）。
第１のクロック信号Ｃａの角周波数が、送信信号Ｓｐ＿ａの角周波数ωｐのＮ倍であるとすると、第１のクロック信号Ｃａは、以下の式（７）のように表される。２Ｎωｐ＞ωｓであるとする。
2020044398.tif 000009
【００３２】
第１の変換部２３は、第１の同期信号生成部２２により生成された第１のクロック信号Ｃａに同期して、第１の信号分離部２１から出力されたサージ信号Ｓｓ＿ａであるアナログ信号を標本化することで、アナログ信号をデジタル信号に変換する（図５のステップＳＴ３）。
第１の変換部２３は、オーバーサンプリングによってアナログ信号を標本化している。
第１の変換部２３は、例えば、第１のクロック信号Ｃａの立ち上がりのタイミングでアナログ信号をディジタル信号に標本化する。
第１のクロック信号Ｃａの立ち上がりのタイミングｔｃ＿ａは、以下の式（８）のように表される。
2020044398.tif 000010
第１の変換部２３から事故点算出部４０に出力される第１のデジタル信号Ｄａは、式（４）及び式（８）より、以下の式（９）のように表される。
2020044398.tif 000011
【００３３】
第２のサージ検出部３０の第２の信号分離部３１は、第２の地点１２を流れている信号から、送信信号Ｓｐ＿ｂ及びサージ信号Ｓｓ＿ｂのそれぞれを抽出する（図５のステップＳＴ４）。
以下、第２の信号分離部３１の処理手順を具体的に説明する。
第３のフィルタ５３は、第２の地点１２を流れている信号を入力すると、第２の地点１２を流れている信号に含まれているサージ信号Ｓｓ＿ｂを抑圧して、第２の地点１２を流れている信号から送信信号Ｓｐ＿ｂを抽出する。
第３のフィルタ５３は、送信信号Ｓｐ＿ｂを第２の同期信号生成部３２に出力する。
第４のフィルタ５４は、第２の地点１２を流れている信号を入力すると、第２の地点１２を流れている信号に含まれている送信信号Ｓｐ＿ｂを抑圧して、第２の地点１２を流れている信号からサージ信号Ｓｓ＿ｂを抽出する。
第４のフィルタ５４は、サージ信号Ｓｓ＿ｂを第２の変換部３３に出力する。
【００３４】
第２の同期信号生成部３２は、第２の信号分離部３１から送信信号Ｓｐ＿ｂを受けると、送信信号Ｓｐ＿ｂに同期している第２のクロック信号Ｃｂを生成し、第２のクロック信号Ｃｂを第２の変換部３３に出力する（図５のステップＳＴ５）。
第２のクロック信号Ｃｂの角周波数が、送信信号Ｓｐ＿ｂの角周波数ωｐのＮ倍であるとすると、第２のクロック信号Ｃｂは、以下の式（１０）のように表される。
2020044398.tif 000012
【００３５】
第２の変換部３３は、第２の同期信号生成部３２により生成された第２のクロック信号Ｃｂに同期して、第２の信号分離部３１から出力されたサージ信号Ｓｓ＿ｂであるアナログ信号を標本化することで、アナログ信号をデジタル信号に変換する（図５のステップＳＴ６）。
第２の変換部３３は、オーバーサンプリングによってアナログ信号を標本化している。
第２の変換部３３は、例えば、第２のクロック信号Ｃｂの立ち上がりのタイミングでアナログ信号をディジタル信号に標本化する。
第２のクロック信号Ｃｂの立ち上がりのタイミングｔｃ＿ｂは、以下の式（１１）のように表される。
2020044398.tif 000013
第２の変換部３３から事故点算出部４０に出力される第２のデジタル信号Ｄｂは、式（５）及び式（１１）より、以下の式（１２）のように表される。
2020044398.tif 000014
【００３６】
事故点算出部４０は、第１の変換部２３から出力された第１のデジタル信号Ｄａと第２の変換部３３から出力された第２のデジタル信号Ｄｂとから、送電線１の事故点１３を算出する（図５のステップＳＴ７）。
以下、事故点算出部４０の処理手順を具体的に説明する。
【００３７】
位相差検出部６１は、第１の変換部２３から出力された第１のデジタル信号Ｄａの位相と、第２の変換部３３から出力された第２のデジタル信号Ｄｂの位相との位相差Ｄｃを検出し、位相差Ｄｃを事故点算出処理部６３に出力する。
角周波数検出部６２は、第２の変換部３３から出力された第２のデジタル信号ＤｂをＦＦＴすることで、サージ信号Ｓｓ＿ｂの角周波数ωｓを検出し、角周波数ωｓを事故点算出処理部６３に出力する。
【００３８】
事故点算出処理部６３は、位相差検出部６１から位相差Ｄｃを受け、角周波数検出部６２から角周波数ωｓを受けると、以下の式（１３）に示すように、位相差Ｄｃと角周波数ωｓとから、時間τａを算出する。
2020044398.tif 000015
次に、事故点算出処理部６３は、サージ信号Ｓｓ＿ａの伝送速度ｖと時間τａとから、事故点１３を算出する。
第１の地点１１から事故点１３までの距離Ｌは、以下の式（１４）のように表され、距離Ｌを算出することは、事故点１３を算出することに相当する。
Ｌ＝ｖ×τａ              （１４）
【００３９】
以上の実施の形態１は、送電線１における第１の地点１１に一端が接続されており、送電線１に損傷が生じることでサージ信号が発生したとき、第１の地点１１を流れている送信信号に同期して、サージ信号を検出する第１のサージ検出部２０と、送電線１における第１の地点１１と異なる第２の地点１２に一端が接続されており、第２の地点１２を流れている送信信号に同期して、サージ信号を検出する第２のサージ検出部３０と、第１のサージ検出部２０により検出されたサージ信号と第２のサージ検出部３０により検出されたサージ信号とから、送電線１の損傷位置である事故点１３を算出する事故点算出部４０とを備えるように、事故点標定装置を構成した。したがって、事故点標定装置は、通信線を介して、電圧情報等を送受信することなく、送電線１の事故点１３を算出することができる。
【００４０】
図２に示す第１の信号分離部２１では、第１のフィルタ５１がＬＰＦによって実現され、図３に示す第２の信号分離部３１では、第３のフィルタ５３がＬＰＦによって実現されている。しかし、第１のフィルタ５１は、第１の地点１１を流れている信号に含まれているサージ信号Ｓｓ＿ａを抑圧して、送信信号Ｓｐ＿ａを抽出できればよく、ＬＰＦによって実現されるものに限るものではない。また、第３のフィルタ５３は、第２の地点１２を流れている信号に含まれているサージ信号Ｓｓ＿ｂを抑圧して、送信信号Ｓｐ＿ｂを抽出できればよく、ＬＰＦによって実現されるものに限るものではない。
したがって、第１のフィルタ５１及び第３のフィルタ５３のそれぞれは、例えば、ＢＰＦ（Ｂａｎｄ  Ｐａｓｓ  Ｆｉｌｔｅｒ）又はＢＲＦ（Ｂａｎｄ  Ｒｅｊｅｃｔｉｏｎ  Ｆｉｌｔｅｒ）によって実現されていてもよい。
【００４１】
図２に示す第１の信号分離部２１では、第２のフィルタ５２がＨＰＦによって実現され、図３に示す第２の信号分離部３１では、第４のフィルタ５４がＨＰＦによって実現されている。しかし、第２のフィルタ５２は、第１の地点１１を流れている信号に含まれている送信信号Ｓｐ＿ａを抑圧して、第１の地点１１を流れている信号からサージ信号Ｓｓ＿ａを抽出できればよく、ＨＰＦによって実現されるものに限るものではない。また、第４のフィルタ５４は、第２の地点１２を流れている信号に含まれている送信信号Ｓｐ＿ｂを抑圧して、第２の地点１２を流れている信号からサージ信号Ｓｓ＿ｂを抽出できればよく、ＨＰＦによって実現されるものに限るものではない。
したがって、第２のフィルタ５２及び第４のフィルタ５４のそれぞれは、例えば、ＢＰＦ又はＢＲＦによって実現されていてもよい。
【００４２】
図１に示す事故点標定装置では、第１の変換部２３及び第２の変換部３３のそれぞれが、オーバーサンプリングによってアナログ信号を標本化している。しかし、これは一例に過ぎず、第１の変換部２３及び第２の変換部３３のそれぞれが、アンダーサンプリング（２Ｎωｐ≦ωｓ）によってアナログ信号を標本化するようにしてもよい。
なお、Ｎ＝１であり、送信信号Ｓｐ＿ａの周波数と第１のクロック信号Ｃａの周波数とが同じである場合、第１の同期信号生成部２２を省略するようにしてもよい。また、送信信号Ｓｐ＿ｂの周波数と第２のクロック信号Ｃｂの周波数とが同じである場合、第２の同期信号生成部３２を省略するようにしてもよい。
【００４３】
実施の形態２．
実施の形態２では、第１のサージ検出部２０と事故点算出部８０とを結ぶ第１及び第２の伝送線路で伝送遅延が発生し、第２のサージ検出部３０と事故点算出部８０とを結ぶ第３及び第４の伝送線路で伝送遅延が発生する事故点標定装置について説明する。
【００４４】
図６は、実施の形態２に係る事故点標定装置を示す構成図である。図６において、図１と同一符号は同一又は相当部分を示すので説明を省略する。
図６に示す事故点標定装置では、第１のサージ検出部２０が、第１の信号分離部２１、第１の同期信号生成部２２及び第１の変換部２３の他に、第１のトリガ信号生成部２４を備えている。２０ｃは、第１のサージ検出部２０の出力端子である。
また、図６に示す事故点標定装置では、第２のサージ検出部３０が、第２の信号分離部３１、第２の同期信号生成部３２及び第２の変換部３３の他に、第２のトリガ信号生成部３４を備えている。３０ｃは、第２のサージ検出部３０の出力端子である。
【００４５】
第１のトリガ信号生成部２４は、例えば、ＰＬＬ回路、ＤＤＳ又はＡＤＣによって実現される。
第１のトリガ信号生成部２４は、入力端子２４ａが第１の信号分離部２１における第１の出力端子２１ｂと接続され、出力端子２４ｂが第２の伝送線路７２の入力端と接続されている。
第１のトリガ信号生成部２４は、第１の信号分離部２１により抽出された送信信号Ｓｐ＿ａに同期している第１のトリガ信号Ｅａを生成し、第２の伝送線路７２を介して、第１のトリガ信号Ｅａを事故点算出部８０に出力する。
第１の信号分離部２１により抽出された送信信号Ｓｐ＿ａの周波数と、第１のトリガ信号生成部２４により生成された第１のトリガ信号Ｅａの周波数とは、同じであってもよいし、異なっていてもよい。
図６には記載していないが、第１のトリガ信号生成部２４が、ＰＬＬ回路又はＤＤＳによって実現される場合、外部から与えられる制御信号に従って第１のトリガ信号Ｅａの周波数が決定される。
また、第１のトリガ信号生成部２４が、ＡＤＣによって実現される場合、第１のトリガ信号生成部２４が、外部から与えられるクロック信号に同期して、送信信号Ｓｐ＿ａをアナログ信号からデジタル信号に変換し、当該デジタル信号を第１のトリガ信号Ｅａとしてもよい。第１のトリガ信号生成部２４は、外部から与えられるクロック信号として、第１の同期信号生成部２２により生成された第１のクロック信号Ｃａを用いるようにしてもよい。
【００４６】
第２のトリガ信号生成部３４は、例えば、ＰＬＬ回路、ＤＤＳ又はＡＤＣによって実現される。
第２のトリガ信号生成部３４は、入力端子３４ａが第２の信号分離部３１における第１の出力端子３１ｂと接続され、出力端子３４ｂが第４の伝送線路７４の入力端と接続されている。
第２のトリガ信号生成部３４は、第２の信号分離部３１により抽出された送信信号Ｓｐ＿ｂに同期している第２のトリガ信号Ｅｂを生成し、第４の伝送線路７４を介して、第２のトリガ信号Ｅｂを事故点算出部８０に出力する。
第２の信号分離部３１により抽出された送信信号Ｓｐ＿ｂの周波数と、第２のトリガ信号生成部３４により生成された第２のトリガ信号Ｅｂの周波数とは、同じであってもよいし、異なっていてもよい。
図６には記載していないが、第２のトリガ信号生成部３４が、ＰＬＬ回路又はＤＤＳによって実現される場合、外部から与えられる制御信号に従って第２のトリガ信号Ｅｂの周波数が決定される。
また、第２のトリガ信号生成部３４が、ＡＤＣによって実現される場合、第２のトリガ信号生成部３４が、外部から与えられるクロック信号に同期して、送信信号Ｓｐ＿ｂをアナログ信号からデジタル信号に変換し、当該デジタル信号を第２のトリガ信号Ｅｂとしてもよい。第２のトリガ信号生成部３４は、外部から与えられるクロック信号として、第２の同期信号生成部３２により生成された第２のクロック信号Ｃｂを用いるようにしてもよい。
【００４７】
第１の伝送線路７１、第２の伝送線路７２、第３の伝送線路７３及び第４の伝送線路７４のそれぞれは、例えば、同軸ケーブル、又は、信号線とグランド線を含むツイストペアの線路によって実現される。
第１の伝送線路７１は、入力端が第１のサージ検出部２０の出力端子２０ｂと接続され、出力端が事故点算出部８０の第１の入力端子８０ａと接続されている。
第１の伝送線路７１は、第１の変換部２３から出力された第１のデジタル信号Ｄａを第１の遅延時間ｔｄ１だけ遅延させ、遅延後の第１のデジタル信号Ｄａを第１のデジタル信号Ｄａ１として事故点算出部８０に出力する。
第２の伝送線路７２は、入力端が第１のサージ検出部２０の出力端子２０ｃと接続され、出力端が事故点算出部８０の第２の入力端子８０ｂと接続されている。
第２の伝送線路７２は、第１のトリガ信号生成部２４により生成された第１のトリガ信号Ｅａを第１の遅延時間ｔｄ１だけ遅延させ、遅延後の第１のトリガ信号Ｅａを第１のトリガ信号Ｅａ１として事故点算出部８０に出力する。
【００４８】
第３の伝送線路７３は、入力端が第２のサージ検出部３０の出力端子３０ｂと接続され、出力端が事故点算出部８０の第３の入力端子８０ｃと接続されている。
第３の伝送線路７３は、第２の変換部３３から出力された第２のデジタル信号Ｄｂを第２の遅延時間ｔｄ２だけ遅延させ、遅延後の第２のデジタル信号Ｄｂを第２のデジタル信号Ｄｂ１として事故点算出部８０に出力する。
第４の伝送線路７４は、入力端が第２のサージ検出部３０の出力端子３０ｃと接続され、出力端が事故点算出部８０の第４の入力端子８０ｄと接続されている。
第４の伝送線路７４は、第２のトリガ信号生成部３４により生成された第２のトリガ信号Ｅｂを第２の遅延時間ｔｄ２だけ遅延させ、遅延後の第２のトリガ信号Ｅｂを第２のトリガ信号Ｅｂ１として事故点算出部８０に出力する。
【００４９】
事故点算出部８０は、後述する第１の時刻差算出部８１、第２の時刻差算出部８２及び事故点算出処理部８３（図７を参照）を備えており、例えば、ＦＰＧＡによって実現される。
事故点算出部８０は、第１の入力端子８０ａが第１の伝送線路７１の出力端と接続され、第２の入力端子８０ｂが第２の伝送線路７２の出力端と接続されている。また、事故点算出部８０は、第３の入力端子８０ｃが第３の伝送線路７３の出力端と接続され、第４の入力端子８０ｄが第４の伝送線路７４の出力端と接続されている。
事故点算出部８０は、第１のデジタル信号Ｄａ１と、第１のトリガ信号Ｅａ１と、第２のデジタル信号Ｄｂ１と、第２のトリガ信号Ｅｂ１とから、事故点１３を算出する。
【００５０】
図７は、実施の形態２に係る事故点標定装置の事故点算出部８０を示す構成図である。
図７において、第１の時刻差算出部８１は、第１の伝送線路７１から出力された第１のデジタル信号Ｄａ１の立ち上がり時刻と、第２の伝送線路７２から出力された第１のトリガ信号Ｅａ１の立ち上がり時刻との時刻差である第１の時刻差を算出する。
第１の時刻差算出部８１は、第１の時刻差を事故点算出処理部８３に出力する。
第２の時刻差算出部８２は、第３の伝送線路７３から出力された第２のデジタル信号Ｄｂ１の立ち上がり時刻と、第４の伝送線路７４から出力された第２のトリガ信号Ｅｂ１の立ち上がり時刻との時刻差である第２の時刻差を算出する。
第２の時刻差算出部８２は、第２の時刻差を事故点算出処理部８３に出力する。
事故点算出処理部８３は、第１の時刻差算出部８１により算出された第１の時刻差と、第２の時刻差算出部８２により算出された第２の時刻差とから、事故点１３を算出する。
【００５１】
図８は、第１のサージ検出部２０が取り扱う信号を示す説明図である。
図８において、ＹＤは、第１の変換部２３から離散的に出力される第１のデジタル信号Ｄａのうち、事故点１３からサージ信号Ｓｓが発生することで、最初に０以外の値に変化したＤａであって、立ち上がり時のＤａである。
ＹＥは、第１のトリガ信号生成部２４から離散的に出力される第１のトリガ信号Ｅａのうち、信号レベルがＬレベル（例えば、“０”）からＨレベル（例えば、“１”）に遷移する際の最初のＥｂである。
ｔａは、ＹＥの時刻とＹＤの時刻との時刻差である。ｔｄ１は、第１のデジタル信号Ｄａに対する第１のデジタル信号Ｄａ１の遅延時間及び第１のトリガ信号Ｅａに対する第１のトリガ信号Ｅａ１の遅延時間である。
時刻差ｔａは、第１のデジタル信号Ｄａ及び第１のトリガ信号Ｅａが、第１の伝送線路７１及び第２の伝送線路７２を通過する前後において、変化がない。
【００５２】
図９は、第２のサージ検出部３０が取り扱う信号を示す説明図である。
図９において、ＺＤは、第２の変換部３３から離散的に出力される第２のデジタル信号Ｄｂのうち、事故点１３からサージ信号Ｓｓが発生することで、最初に０以外の値に変化したＤｂであって、立ち上がり時のＤｂである。
ＺＥは、第２のトリガ信号生成部３４から離散的に出力される第２のトリガ信号Ｅｂのうち、信号レベルがＬレベルからＨレベルに遷移する際の最初のＥｂである。
ｔｂは、ＺＥの時刻とＺＤの時刻との時刻差である。ｔｄ２は、第２のデジタル信号Ｄｂに対する第２のデジタル信号Ｄｂ１の遅延時間及び第２のトリガ信号Ｅｂに対する第２のトリガ信号Ｅｂ１の遅延時間である。
時刻差ｔｂは、第２のデジタル信号Ｄｂ及び第２のトリガ信号Ｅｂが、第３の伝送線路７３及び第４の伝送線路７４を通過する前後において、変化がない。
【００５３】
次に、図６に示す事故点標定装置の動作について説明する。
ただし、第１のトリガ信号生成部２４、第２のトリガ信号生成部３４及び事故点算出部８０以外は、図１に示す事故点標定装置と同様であるため、ここでは、第１のトリガ信号生成部２４、第２のトリガ信号生成部３４及び事故点算出部８０の動作を説明する。
ここでは、送電線１、第１の伝送線路７１、第２の伝送線路７２、第３の伝送線路７３及び第４の伝送線路７４以外では、送信信号Ｓｐの伝送遅延及びサージ信号Ｓｓの伝送遅延が発生しないものとする。
【００５４】
第１のトリガ信号生成部２４は、第１の信号分離部２１から送信信号Ｓｐ＿ａを受けると、送信信号Ｓｐ＿ａに同期している第１のトリガ信号Ｅａを生成し、第１のトリガ信号Ｅａを第２の伝送線路７２に出力する。
第１のトリガ信号Ｅａは、例えば、図８に示すように、送信信号Ｓｐ＿ａの振幅が閾値Ｔｈ以上であるとき、信号レベルがＨレベルになり、送信信号Ｓｐ＿ａの振幅が閾値Ｔｈ未満であるとき、信号レベルがＬレベルになる。閾値Ｔｈは、例えば、送信信号Ｓｐ＿ａの最大振幅の半分の値である。閾値Ｔｈは、例えば、第１のトリガ信号生成部２４の内部メモリ及び第２のトリガ信号生成部３４の内部メモリに格納されている。閾値Ｔｈは、外部から、第１のトリガ信号生成部２４及び第２のトリガ信号生成部３４のそれぞれに与えられるものであってもよい。
【００５５】
第１の変換部２３から出力された第１のデジタル信号Ｄａは、第１の伝送線路７１によって、事故点算出部８０まで伝送される。このとき、第１のデジタル信号Ｄａは、第１の伝送線路７１において、第１の遅延時間ｔｄ１だけ遅延されるため、遅延後の第１のデジタル信号Ｄａが、第１のデジタル信号Ｄａ１として事故点算出部８０に入力される。
第１のトリガ信号生成部２４により生成された第１のトリガ信号Ｅａは、第２の伝送線路７２によって、事故点算出部８０まで伝送される。このとき、第１のトリガ信号Ｅａは、第２の伝送線路７２において、第１の遅延時間ｔｄ１だけ遅延されるため、遅延後の第１のトリガ信号Ｅａが、第１のトリガ信号Ｅａ１として事故点算出部８０に入力される。
【００５６】
第２のトリガ信号生成部３４は、第２の信号分離部３１から送信信号Ｓｐ＿ｂを受けると、送信信号Ｓｐ＿ｂに同期している第２のトリガ信号Ｅｂを生成し、第２のトリガ信号Ｅｂを第４の伝送線路７４に出力する。
第２のトリガ信号Ｅｂは、例えば、図９に示すように、送信信号Ｓｐ＿ｂの振幅が閾値Ｔｈ以上であるとき、信号レベルがＨレベルになり、送信信号Ｓｐ＿ｂの振幅が閾値Ｔｈ未満であるとき、信号レベルがＬレベルになる。
【００５７】
第２の変換部３３から出力された第２のデジタル信号Ｄｂは、第３の伝送線路７３によって、事故点算出部８０まで伝送される。このとき、第２のデジタル信号Ｄｂは、第３の伝送線路７３において、第２の遅延時間ｔｄ２だけ遅延されるため、遅延後の第２のデジタル信号Ｄｂが、第２のデジタル信号Ｄｂ１として事故点算出部８０に入力される。
第２のトリガ信号生成部３４により生成された第２のトリガ信号Ｅｂは、第４の伝送線路７４によって、事故点算出部８０まで伝送される。このとき、第２のトリガ信号Ｅｂは、第４の伝送線路７４において、第２の遅延時間ｔｄ２だけ遅延されるため、遅延後の第２のトリガ信号Ｅｂが、第２のトリガ信号Ｅｂ１として事故点算出部８０に入力される。
【００５８】
事故点算出部８０は、第１のデジタル信号Ｄａ１と、第１のトリガ信号Ｅａ１と、第２のデジタル信号Ｄｂ１と、第２のトリガ信号Ｅｂ１とから、事故点１３を算出する。
以下、事故点算出部８０の処理手順を具体的に説明する。
【００５９】
第１の時刻差算出部８１は、第１の伝送線路７１から出力された第１のデジタル信号Ｄａ１の立ち上がりを検出するとともに、第２の伝送線路７２から出力された第１のトリガ信号Ｅａ１の立ち上がりを検出する。
第１の時刻差算出部８１は、検出した第１のデジタル信号Ｄａ１の立ち上がり時刻と、検出した第１のトリガ信号Ｅａ１の立ち上がり時刻との時刻差を第１の時刻差ｔａとして算出する。
第１の時刻差算出部８１は、第１の時刻差ｔａを事故点算出処理部８３に出力する。
【００６０】
第２の時刻差算出部８２は、第３の伝送線路７３から出力された第２のデジタル信号Ｄｂ１の立ち上がりを検出するとともに、第４の伝送線路７４から出力された第２のトリガ信号Ｅｂ１の立ち上がりを検出する。
第２の時刻差算出部８２は、検出した第２のデジタル信号Ｄｂ１の立ち上がり時刻と、検出した第２のトリガ信号Ｅｂ１の立ち上がり時刻との時刻差を第２の時刻差ｔｂとして算出する。
第２の時刻差算出部８２は、第２の時刻差ｔｂを事故点算出処理部８３に出力する。
【００６１】
事故点算出処理部８３は、第１の地点１１での送信信号Ｓｐ＿ａの位相情報及び第２の地点１２での送信信号Ｓｐ＿ｂの位相情報を保持している。
これらの位相情報は、外部から事故点算出処理部８３に与えられるものであってもよいし、事故点算出処理部８３によって測定されるものであってもよい。
また、送信信号Ｓｐの図示せぬ信号源から第１の地点１１及び第２の地点１２までの距離と、送信信号Ｓｐの周波数とから、事故点算出処理部８３によって、位相情報が算出されるものであってもよい。
【００６２】
事故点算出処理部８３は、第１の地点１１での送信信号Ｓｐ＿ａの位相情報から、ＹＥの時刻ｔＹＥを算出する。
また、事故点算出処理部８３は、第２の地点１２での送信信号Ｓｐ＿ｂの位相情報から、ＺＥの時刻ｔＺＥを算出する。
位相情報から時刻ｔＹＥ，ｔＺＥを算出する処理自体は、公知の技術であるため詳細な説明を省略する。
事故点算出処理部８３は、第１の時刻差算出部８１から出力された第１の時刻差ｔａと、算出したＹＥの時刻ｔＹＥとから、ＹＤの時刻ｔＹＤを算出する。
また、事故点算出処理部８３は、第２の時刻差算出部８２から出力された第２の時刻差ｔｂと、算出したＺＥの時刻ｔＺＥとから、ＺＤの時刻ｔＺＤを算出する。
【００６３】
次に、事故点算出処理部８３は、サージ信号Ｓｓ＿ａの伝送速度ｖと、ＹＤの時刻ｔＹＤ及びＺＤの時刻ｔＺＤとから、事故点１３を算出する。
第２の地点１２から事故点１３までの距離Ｌｂは、以下の式（１５）のように表され、距離Ｌｂを算出することは、事故点１３を算出することに相当する。
2020044398.tif 000016
式（１５）において、距離Ｌａは、第１の地点１１から事故点１３までの距離であり、｜Ｌａ＋Ｌｂ｜は、事故点算出処理部８３において既知である。
このとき、ｔＹＤ＞ｔＺＤであれば、事故点１３は、第１の地点１１よりも第２の地点１２に近い位置である。
また、ｔＹＤ＜ｔＺＤであれば、事故点１３は、第２の地点１２よりも第１の地点１１に近い位置である。
【００６４】
以上の実施の形態２は、事故点算出部８０が、第１のデジタル信号Ｄａ１と、第１のトリガ信号Ｅａ１と、第２のデジタル信号Ｄｂ１と、第２のトリガ信号Ｅｂ１とから、事故点１３を算出するように、事故点標定装置を構成した。したがって、実施の形態２の事故点標定装置は、実施の形態１の事故点標定装置と同様に、通信線を介して、電圧情報等を送受信することなく、事故点１３を算出することができる。
また、実施の形態２の事故点標定装置は、第１のサージ検出部２０と事故点算出部８０との間の伝送線路での遅延時間と、第２のサージ検出部３０と事故点算出部８０との間の伝送線路での遅延時間とが異なる場合でも、事故点１３を算出することができる。したがって、実施の形態２の事故点標定装置は、実施の形態１の事故点標定装置よりも、伝送線路の線路長の選択性を高めることができるほか、第１のサージ検出部２０、第２のサージ検出部３０及び事故点算出部８０におけるそれぞれの設置位置の選択性を高めることができる。
【００６５】
図６に示す事故点標定装置では、第１の時刻差算出部８１が、第１のデジタル信号Ｄａ１の立ち上がり時刻と、第１のトリガ信号Ｅａ１の立ち上がり時刻との時刻差を第１の時刻差ｔａとして算出している。しかし、これは一例に過ぎず、第１の時刻差算出部８１が、第１のデジタル信号Ｄａ１の立ち下がり時刻と、第１のトリガ信号Ｅａ１の立ち下がり時刻との時刻差を第１の時刻差ｔａとして算出するようにしてもよい。
図６に示す事故点標定装置では、第２の時刻差算出部８２が、第２のデジタル信号Ｄｂ１の立ち上がり時刻と、第２のトリガ信号Ｅｂ１の立ち上がり時刻との時刻差を第２の時刻差ｔｂとして算出している。しかし、これは一例に過ぎず、第２の時刻差算出部８２が、第２のデジタル信号Ｄｂ１の立ち下がり時刻と、第２のトリガ信号Ｅｂ１の立ち下がり時刻との時刻差を第２の時刻差ｔｂとして算出するようにしてもよい。
また、第１の時刻差算出部８１が、第１のデジタル信号Ｄａ１の立ち下がり時刻と、第１のトリガ信号Ｅａ１の立ち下がり時刻との時刻差を第１の時刻差ｔａとして算出し、第２の時刻差算出部８２が、第２のデジタル信号Ｄｂ１の立ち上がり時刻と、第２のトリガ信号Ｅｂ１の立ち上がり時刻との時刻差を第２の時刻差ｔｂとして算出するようにしてもよい。
また、第１の時刻差算出部８１が、第１のデジタル信号Ｄａ１の立ち上がり時刻と、第１のトリガ信号Ｅａ１の立ち上がり時刻との時刻差を第１の時刻差ｔａとして算出し、第２の時刻差算出部８２が、第２のデジタル信号Ｄｂ１の立ち下がり時刻と、第２のトリガ信号Ｅｂ１の立ち下がり時刻との時刻差を第２の時刻差ｔｂとして算出するようにしてもよい。
【００６６】
図６に示す事故点標定装置では、第１のトリガ信号生成部２４が、送信信号Ｓｐ＿ａに同期している第１のトリガ信号Ｅａを生成し、第２のトリガ信号生成部３４が、送信信号Ｓｐ＿ｂに同期している第２のトリガ信号Ｅｂを生成している。
しかし、これは一例に過ぎず、第１のトリガ信号Ｅａは、送信信号Ｓｐ＿ａに同期していればよく、第２のトリガ信号Ｅｂは、送信信号Ｓｐ＿ｂに同期していればよい。したがって、第１のトリガ信号生成部２４が、第１のトリガ信号Ｅａとして、送信信号Ｓｐ＿ａを用い、第２のトリガ信号生成部３４が、第２のトリガ信号Ｅｂとして、送信信号Ｓｐ＿ｂを用いるようにしてもよい。
【００６７】
図６に示す事故点標定装置では、第１のサージ検出部２０が第１の変換部２３を備え、第２のサージ検出部３０が第２の変換部３３を備えている。
しかし、第１の時刻差算出部８１では、サージ信号Ｓｓ＿ａの立ち上がりを検出できれば、第１の時刻差ｔａを算出でき、第２の時刻差算出部８２では、サージ信号Ｓｓ＿ｂの立ち上がりを検出できれば、第２の時刻差ｔｂを算出できる。したがって、第１のサージ検出部２０が、第１の変換部２３の代わりに、サージ信号Ｓｓ＿ａを検波する検波器を備え、第２のサージ検出部３０が、第２の変換部３３の代わりに、サージ信号Ｓｓ＿ｂを検波する検波器を備えるようにしてもよい。
【００６８】
実施の形態３．
実施の形態３では、３本の伝送線路２ａ，２ｂ，２ｃを有る送電線２の事故点１３を算出する事故点標定装置について説明する。
図１０は、実施の形態３に係る事故点標定装置を示す構成図である。図１０において、図１と同一符号は同一又は相当部分を示すので説明を省略する。
送電線２は、３本の伝送線路２ａ，２ｂ，２ｃを有している。送電線２により伝送される電力である送信信号Ｓｐは、三相交流の信号である。
図１０に示す事故点標定装置では、送信信号Ｓｐが、第１の地点１１から第２の地点１２に向かう方向に流れている。
【００６９】
第１のサージ検出部１００は、第１の信号合成部１０１、第１のフィルタ１０２、第１の同期信号生成部１０３、第２のフィルタ１０４及び第１の変換部２３を備えている。
第１のサージ検出部１００は、入力端子１００ａ，１００ｂ，１００ｃが第１の地点１１と接続され、出力端子１００ｄが事故点算出部４０の第１の入力端子４０ａと接続されている。
第１のサージ検出部１００は、送電線２に損傷が生じることでサージ信号Ｓｓが発生したとき、第１の地点１１を流れている送信信号Ｓｐ＿ａに同期して、サージ信号Ｓｓ＿ａを検出する。
第１のサージ検出部１００は、サージ信号Ｓｓ＿ａをアナログ信号からデジタル信号に変換し、当該デジタル信号を第１のデジタル信号Ｄａとして事故点算出部４０に出力する。
【００７０】
第１の信号合成部１０１は、例えば、抵抗及びトランスを実装している合成器、ハイブリッド回路、又は、１８０度ハイブリッド回路と１８０度移相器とが組み合わされた回路によって実現される。
第１の信号合成部１０１は、入力端子１０１ａが伝送線路２ａにおける第１の地点１１と接続され、入力端子１０１ｂが伝送線路２ｂにおける第１の地点１１と接続され、入力端子１０１ｃが伝送線路２ｃにおける第１の地点１１と接続されている。
また、第１の信号合成部１０１は、出力端子１０１ｄが第２のフィルタ１０４の入力端子１０４ａと接続されている。
第１の信号合成部１０１は、３本の伝送線路２ａ，２ｂ，２ｃにおける第１の地点１１を流れている三相交流の信号の電圧もしくは電流を同相で足し合わせることで、第１の合成信号を生成する。
第１の信号合成部１０１は、第１の合成信号を第２のフィルタ１０４に出力する。
【００７１】
第１のフィルタ１０２は、送信信号Ｓｐ＿ａの周波数が通過帯域内にあり、サージ信号Ｓｓ＿ａの周波数が通過帯域外にあるフィルタであり、例えば、ＬＰＦによって実現される。
第１のフィルタ１０２は、入力端子１０２ａが伝送線路２ａにおける第１の地点１１と接続され、出力端子１０２ｂが第１の同期信号生成部１０３の入力端子１０３ａと接続されている。
第１のフィルタ１０２は、伝送線路２ａにおける第１の地点１１を流れている信号に含まれているサージ信号Ｓｓ＿ａを抑圧して、第１の地点１１を流れている信号から送信信号Ｓｐ＿ａを抽出し、送信信号Ｓｐ＿ａを第１の同期信号生成部１０３に出力する。
【００７２】
第１の同期信号生成部１０３は、例えば、ＰＬＬ回路、逓倍器又はＤＤＳによって実現される。
第１の同期信号生成部１０３は、入力端子１０３ａが第１のフィルタ１０２の出力端子１０２ｂと接続され、出力端子１０３ｂが第１の変換部２３のクロック端子２３ｂと接続されている。
第１の同期信号生成部１０３は、第１のフィルタ１０２により抽出された送信信号Ｓｐ＿ａに同期している第１のクロック信号Ｃａを生成し、第１のクロック信号Ｃａを第１の変換部２３に出力する。
第１の同期信号生成部１０３は、第１のフィルタ１０２により送信信号Ｓｐ＿ａが抽出されなくなり、第１のフィルタ１０２からの送信信号Ｓｐ＿ａの出力が途絶えると、送信信号Ｓｐ＿ａの出力が途絶える前に生成した第１のクロック信号Ｃａを第１の変換部２３に出力する。
第１のフィルタ１０２により抽出された送信信号Ｓｐ＿ａの周波数と、第１の同期信号生成部１０３により生成された第１のクロック信号Ｃａの周波数とは、同じであってもよいし、異なっていてもよい。
図１０には記載していないが、第１の同期信号生成部１０３が、ＰＬＬ回路又はＤＤＳによって実現される場合、外部から与えられる制御信号に従って第１のクロック信号Ｃａの周波数が決定される。
【００７３】
第２のフィルタ１０４は、サージ信号Ｓｓ＿ａの周波数が通過帯域内にあり、送信信号Ｓｐ＿ａの周波数が通過帯域外にあるフィルタであり、例えば、ＨＰＦによって実現される。
第２のフィルタ１０４は、入力端子１０４ａが第１の信号合成部１０１の出力端子１０１ｄと接続され、出力端子１０４ｂが第１の変換部２３の入力端子２３ａと接続されている。
第２のフィルタ１０４は、第１の信号合成部１０１により生成された第１の合成信号に含まれている送信信号Ｓｐ＿ａを抑圧して、第１の合成信号からサージ信号Ｓｓ＿ａを抽出し、サージ信号Ｓｓ＿ａを第１の変換部２３に出力する。
【００７４】
第２のサージ検出部１１０は、第２の信号合成部１１１、第３のフィルタ１１２、第２の同期信号生成部１１３、第４のフィルタ１１４及び第２の変換部３３を備えている。
第２のサージ検出部１１０は、入力端子１１０ａ，１１０ｂ，１１０ｃが第２の地点１２と接続され、出力端子１１０ｄが事故点算出部４０の第２の入力端子４０ｂと接続されている。
第２のサージ検出部１１０は、送電線２に損傷が生じることでサージ信号Ｓｓが発生したとき、第２の地点１２を流れている送信信号Ｓｐ＿ｂに同期して、サージ信号Ｓｓ＿ｂを検出する。
第２のサージ検出部１１０は、サージ信号Ｓｓ＿ｂをアナログ信号からデジタル信号に変換し、当該デジタル信号を第２のデジタル信号Ｄｂとして事故点算出部４０に出力する。
【００７５】
第２の信号合成部１１１は、例えば、抵抗及びトランスを実装している合成器、ハイブリッド回路、又は、１８０度ハイブリッド回路と１８０度移相器とが組み合わされた回路によって実現される。
第２の信号合成部１１１は、入力端子１１１ａが伝送線路２ａにおける第２の地点１２と接続され、入力端子１１１ｂが伝送線路２ｂにおける第２の地点１２と接続され、入力端子１１１ｃが伝送線路２ｃにおける第２の地点１２と接続されている。
また、第２の信号合成部１１１は、出力端子１１１ｄが第４のフィルタ１１４の入力端子１１４ａと接続されている。
第２の信号合成部１１１は、３本の伝送線路２ａ，２ｂ，２ｃにおける第２の地点１２を流れている三相交流の信号の電圧もしくは電流を同相で足し合わせることで、第２の合成信号を生成する。
第２の信号合成部１１１は、第２の合成信号を第４のフィルタ１１４に出力する。
【００７６】
第３のフィルタ１１２は、送信信号Ｓｐ＿ｂの周波数が通過帯域内にあり、サージ信号Ｓｓ＿ｂの周波数が通過帯域外にあるフィルタであり、例えば、ＬＰＦによって実現される。
第３のフィルタ１１２は、入力端子１１２ａが伝送線路２ａにおける第２の地点１２と接続され、出力端子１１２ｂが第２の同期信号生成部１１３の入力端子１１３ａと接続されている。
第３のフィルタ１１２は、伝送線路２ａにおける第２の地点１２を流れている信号に含まれているサージ信号Ｓｓ＿ｂを抑圧して、第２の地点１２を流れている信号から送信信号Ｓｐ＿ｂを抽出し、送信信号Ｓｐ＿ｂを第２の同期信号生成部１１３に出力する。
【００７７】
第２の同期信号生成部１１３は、例えば、ＰＬＬ回路、逓倍器又はＤＤＳによって実現される。
第２の同期信号生成部１１３は、入力端子１１３ａが第３のフィルタ１１２の出力端子１１２ｂと接続され、出力端子１１３ｂが第２の変換部３３のクロック端子３３ｂと接続されている。
第２の同期信号生成部１１３は、第３のフィルタ１１２により抽出された送信信号Ｓｐ＿ｂに同期している第２のクロック信号Ｃｂを生成し、第２のクロック信号Ｃｂを第２の変換部３３に出力する。
第２の同期信号生成部１１３は、第３のフィルタ１１２により送信信号Ｓｐ＿ｂが抽出されなくなり、第３のフィルタ１１２からの送信信号Ｓｐ＿ｂの出力が途絶えると、送信信号Ｓｐ＿ｂの出力が途絶える前に生成した第２のクロック信号Ｃｂを第２の変換部３３に出力する。
第３のフィルタ１１２により抽出された送信信号Ｓｐ＿ｂの周波数と、第２の同期信号生成部１１３により生成された第２のクロック信号Ｃｂの周波数とは、同じであってもよいし、異なっていてもよい。
図１０には記載していないが、第２の同期信号生成部１１３が、ＰＬＬ回路又はＤＤＳによって実現される場合、外部から与えられる制御信号に従って第２のクロック信号Ｃｂの周波数が決定される。
【００７８】
第４のフィルタ１１４は、サージ信号Ｓｓ＿ｂの周波数が通過帯域内にあり、送信信号Ｓｐ＿ｂの周波数が通過帯域外にあるフィルタであり、例えば、ＨＰＦによって実現される。
第４のフィルタ１１４は、入力端子１１４ａが第２の信号合成部１１１の出力端子１１１ｄと接続され、出力端子１１４ｂが第２の変換部３３の入力端子３３ａと接続されている。
第４のフィルタ１１４は、第２の信号合成部１１１により生成された第２の合成信号に含まれている送信信号Ｓｐ＿ｂを抑圧して、第２の合成信号からサージ信号Ｓｓ＿ｂを抽出し、サージ信号Ｓｓ＿ｂを第２の変換部３３に出力する。
【００７９】
図１１は、実施の形態３に係る事故点標定装置の第１の同期信号生成部１０３を示す構成図である。
図１１において、位相比較器１２１は、例えば、ＰＦＤ（Ｐｈａｓｅ  Ｆｒｅｑｕｅｎｃｙ  Ｄｅｔｅｃｔｏｒ）によって実現される。
位相比較器１２１は、第１のフィルタ１０２により抽出された送信信号Ｓｐ＿ａの位相と、分周器１２７から出力された分周信号の位相とを比較し、送信信号Ｓｐ＿ａと分周信号との位相差を示す位相差信号をループフィルタ１２２に出力する。
ループフィルタ１２２は、位相比較器１２１から出力された位相差信号を平滑化して、平滑化後の位相差信号を電圧検出器１２４及びスイッチ１２５のそれぞれに出力する。
【００８０】
信号検出器１２３は、第１のフィルタ１０２により抽出された送信信号Ｓｐ＿ａの検出処理を実施し、送信信号Ｓｐ＿ａの検出ができなくなると、送信信号Ｓｐ＿ａが途絶えている旨を示す非検出信号を電圧検出器１２４及びスイッチ１２５のそれぞれに出力する。
電圧検出器１２４は、ループフィルタ１２２から出力された平滑化後の位相差信号の電圧値を検出し、検出した電圧値を記憶する。
電圧検出器１２４は、信号検出器１２３から非検出信号を受けると、非検出信号を受ける前に記憶している電圧値の中で、最後に記憶した電圧値をスイッチ１２５に出力する。
【００８１】
スイッチ１２５は、信号検出器１２３から非検出信号が出力されていなければ、ループフィルタ１２２から出力された平滑化後の位相差信号を制御電圧信号として電圧制御発振器１２６に出力する。
スイッチ１２５は、信号検出器１２３から非検出信号を受けると、電圧検出器１２４から出力された電圧値を制御電圧信号として電圧制御発振器１２６に出力する。
【００８２】
電圧制御発振器１２６は、スイッチ１２５から出力された制御電圧信号に基づいて第１のクロック信号Ｃａを生成し、第１のクロック信号Ｃａを分周器１２７及び第１の変換部２３のそれぞれに出力する。
分周器１２７は、電圧制御発振器１２６により生成された第１のクロック信号Ｃａを分周し、第１のクロック信号Ｃａの分周信号を位相比較器１２１に出力する。
信号検出器１２３から非検出信号が出力されていない状態では、位相比較器１２１、ループフィルタ１２２、スイッチ１２５、電圧制御発振器１２６及び分周器１２７は、ＰＬＬ回路として動作する。
【００８３】
図１２は、実施の形態３に係る事故点標定装置の第２の同期信号生成部１１３を示す構成図である。
図１２において、位相比較器１３１は、例えば、ＰＦＤによって実現される。
位相比較器１３１は、第３のフィルタ１１２により抽出された送信信号Ｓｐ＿ｂの位相と、分周器１３７から出力された分周信号の位相とを比較し、送信信号Ｓｐ＿ｂと分周信号との位相差を示す位相差信号をループフィルタ１３２に出力する。
ループフィルタ１３２は、位相比較器１３１から出力された位相差信号を平滑化して、平滑化後の位相差信号を電圧検出器１３４及びスイッチ１３５のそれぞれに出力する。
【００８４】
信号検出器１３３は、第３のフィルタ１１２により抽出された送信信号Ｓｐ＿ｂの検出処理を実施し、送信信号Ｓｐ＿ｂの検出ができなくなると、送信信号Ｓｐ＿ｂが途絶えている旨を示す非検出信号を電圧検出器１３４及びスイッチ１３５のそれぞれに出力する。
電圧検出器１３４は、ループフィルタ１３２から出力された平滑化後の位相差信号の電圧値を検出し、検出した電圧値を記憶する。
電圧検出器１３４は、信号検出器１３３から非検出信号を受けると、非検出信号を受ける前に記憶している電圧値の中で、最後に記憶した電圧値をスイッチ１３５に出力する。
【００８５】
スイッチ１３５は、信号検出器１３３から非検出信号が出力されていなければ、ループフィルタ１３２から出力された平滑化後の位相差信号を制御電圧信号として電圧制御発振器１３６に出力する。
スイッチ１３５は、信号検出器１３３から非検出信号を受けると、電圧検出器１３４から出力された電圧値を制御電圧信号として電圧制御発振器１３６に出力する。
【００８６】
電圧制御発振器１３６は、スイッチ１３５から出力された制御電圧信号に基づいて第２のクロック信号Ｃｂを生成し、第２のクロック信号Ｃｂを分周器１３７及び第２の変換部３３のそれぞれに出力する。
分周器１３７は、電圧制御発振器１３６により生成された第２のクロック信号Ｃｂを分周し、第２のクロック信号Ｃｂの分周信号を位相比較器１３１に出力する。
信号検出器１３３から非検出信号が出力されていない状態では、位相比較器１３１、ループフィルタ１３２、スイッチ１３５、電圧制御発振器１３６及び分周器１３７は、ＰＬＬ回路として動作する。
【００８７】
次に、図１０に示す事故点標定装置の動作について説明する。
図１０に示す事故点標定装置では、伝送線路２ｂ及び伝送線路２ｃのうち、少なくとも１本の伝送線路が切断されているものとする。
また、送電線２以外では、送信信号Ｓｐの伝送遅延及びサージ信号Ｓｓの伝送遅延が発生しないものとする。
【００８８】
第１のサージ検出部１００は、送電線２に損傷が生じることでサージ信号Ｓｓが発生したとき、第１の地点１１を流れている送信信号Ｓｐ＿ａに同期して、サージ信号Ｓｓ＿ａを検出する。
第１のサージ検出部１００は、サージ信号Ｓｓ＿ａをアナログ信号からデジタル信号に変換し、当該デジタル信号を第１のデジタル信号Ｄａとして事故点算出部４０に出力する。
以下、第１のサージ検出部１００の処理手順を具体的に説明する。
【００８９】
第１の信号合成部１０１は、３本の伝送線路２ａ，２ｂ，２ｃにおける第１の地点１１を流れている三相交流の信号の電圧もしくは電流を同相で足し合わせることで、第１の合成信号を生成する。
第１の信号合成部１０１は、第１の合成信号を第２のフィルタ１０４に出力する。
第２のフィルタ１０４は、第１の信号合成部１０１から第１の合成信号を受けると、第１の合成信号に含まれている送信信号Ｓｐ＿ａを抑圧して、第１の合成信号からサージ信号Ｓｓ＿ａを抽出し、サージ信号Ｓｓ＿ａを第１の変換部２３に出力する。
【００９０】
第１のフィルタ１０２は、伝送線路２ａにおける第１の地点１１を流れている信号に含まれているサージ信号Ｓｓ＿ａを抑圧して、第１の地点１１を流れている信号から送信信号Ｓｐ＿ａを抽出し、送信信号Ｓｐ＿ａを第１の同期信号生成部１０３に出力する。
第１の同期信号生成部１０３は、第１のフィルタ１０２から送信信号Ｓｐ＿ａを受けると、図１に示す第１の同期信号生成部２２と同様に、送信信号Ｓｐ＿ａに同期している第１のクロック信号Ｃａを生成し、第１のクロック信号Ｃａを第１の変換部２３に出力する。
ただし、第１の同期信号生成部１０３は、第１のフィルタ１０２により送信信号Ｓｐ＿ａが抽出されなくなり、第１のフィルタ１０２からの送信信号Ｓｐ＿ａの出力が途絶えると、送信信号Ｓｐ＿ａの出力が途絶える前に生成した第１のクロック信号Ｃａを第１の変換部２３に出力する。
以下、第１の同期信号生成部１０３の処理手順を具体的に説明する。
【００９１】
位相比較器１２１は、第１のフィルタ１０２から送信信号Ｓｐ＿ａを受けると、送信信号Ｓｐ＿ａの位相と、分周器１２７から出力された分周信号の位相とを比較する。
位相比較器１２１は、送信信号Ｓｐ＿ａと分周信号との位相差を示す位相差信号をループフィルタ１２２に出力する。
ループフィルタ１２２は、位相比較器１２１から位相差信号を受けると、位相差信号を平滑化して、平滑化後の位相差信号を電圧検出器１２４及びスイッチ１２５のそれぞれに出力する。
【００９２】
信号検出器１２３は、第１のフィルタ１０２により抽出された送信信号Ｓｐ＿ａの検出処理を実施する。
信号検出器１２３は、第１のフィルタ１０２により送信信号Ｓｐ＿ａが抽出されなくなり、送信信号Ｓｐ＿ａの検出ができなくなると、送信信号Ｓｐ＿ａが途絶えている旨を示す非検出信号を電圧検出器１２４及びスイッチ１２５のそれぞれに出力する。
【００９３】
電圧検出器１２４は、ループフィルタ１２２から出力された平滑化後の位相差信号の電圧値を検出し、検出した電圧値を記憶する。
電圧検出器１２４は、信号検出器１２３から非検出信号を受けると、非検出信号を受ける前に記憶している電圧値の中で、最後に記憶した電圧値をスイッチ１２５に出力する。
【００９４】
スイッチ１２５は、信号検出器１２３から非検出信号が出力されていなければ、ループフィルタ１２２から出力された平滑化後の位相差信号を制御電圧信号として電圧制御発振器１２６に出力する。
スイッチ１２５は、信号検出器１２３から非検出信号を受けると、電圧検出器１２４から出力された電圧値を制御電圧信号として電圧制御発振器１２６に出力する。
【００９５】
電圧制御発振器１２６は、スイッチ１２５から制御電圧信号を受けると、制御電圧信号に基づいて第１のクロック信号Ｃａを生成し、第１のクロック信号Ｃａを分周器１２７及び第１の変換部２３のそれぞれに出力する。
分周器１２７は、電圧制御発振器１２６から第１のクロック信号Ｃａを受けると、第１のクロック信号Ｃａを分周し、第１のクロック信号Ｃａの分周信号を位相比較器１２１に出力する。
【００９６】
信号検出器１２３から非検出信号が出力されていない状態では、位相比較器１２１、ループフィルタ１２２、スイッチ１２５、電圧制御発振器１２６及び分周器１２７は、ＰＬＬ回路として動作する。
ここでは、伝送線路２ｂ及び伝送線路２ｃのうち、少なくとも１本の伝送線路が切断されているものとしており、伝送線路２ａには、送信信号Ｓｐが流れている。
したがって、信号検出器１２３では、送信信号Ｓｐ＿ａが検出されるため、信号検出器１２３から非検出信号が電圧検出器１２４及びスイッチ１２５のそれぞれに出力されない。
よって、電圧制御発振器１２６では、送信信号Ｓｐ＿ａと分周信号との位相差に対応する第１のクロック信号Ｃａが生成される。
【００９７】
仮に、伝送線路２ａが切断されて、送信信号Ｓｐ＿ａが伝送線路２ａを流れなくなると、信号検出器１２３では、送信信号Ｓｐ＿ａが検出されずに、信号検出器１２３から非検出信号が電圧検出器１２４及びスイッチ１２５のそれぞれに出力される。
したがって、電圧制御発振器１２６では、電圧検出器１２４によって、非検出信号を受ける前に記憶されている電圧値の中で、最後に記憶されている電圧値に基づいて第１のクロック信号Ｃａが生成される。
よって、伝送線路２ａが切断されて、送信信号Ｓｐ＿ａが伝送線路２ａを流れなくなっても、第１のクロック信号Ｃａの生成を継続することができる。
【００９８】
第１の変換部２３は、第２のフィルタ１０４からサージ信号Ｓｓ＿ａを受け、第１の同期信号生成部１０３から第１のクロック信号Ｃａを受けると、実施の形態１と同様に、第１のクロック信号Ｃａに同期して、サージ信号Ｓｓ＿ａであるアナログ信号をデジタル信号に変換する。
第１の変換部２３は、当該デジタル信号を第１のデジタル信号Ｄａとして事故点算出部４０に出力する。
【００９９】
第２のサージ検出部１１０は、送電線２に損傷が生じることでサージ信号Ｓｓが発生したとき、第２の地点１２を流れている送信信号Ｓｐ＿ｂに同期して、サージ信号Ｓｓ＿ｂを検出する。
第２のサージ検出部１１０は、サージ信号Ｓｓ＿ｂをアナログ信号からデジタル信号に変換し、当該デジタル信号を第２のデジタル信号Ｄｂとして事故点算出部４０に出力する。
以下、第２のサージ検出部１１０の処理手順を具体的に説明する。
【０１００】
第２の信号合成部１１１は、３本の伝送線路２ａ，２ｂ，２ｃにおける第２の地点１２を流れている三相交流の信号の電圧もしくは電流を同相で足し合わせることで、第２の合成信号を生成する。
第２の信号合成部１１１は、第２の合成信号を第４のフィルタ１１４に出力する。
第４のフィルタ１１４は、第２の信号合成部１１１から第２の合成信号を受けると、第２の合成信号に含まれている送信信号Ｓｐ＿ｂを抑圧して、第２の合成信号からサージ信号Ｓｓ＿ｂを抽出し、サージ信号Ｓｓ＿ｂを第２の変換部３３に出力する。
【０１０１】
第３のフィルタ１１２は、伝送線路２ａにおける第２の地点１２を流れている信号に含まれているサージ信号Ｓｓ＿ｂを抑圧して、第２の地点１２を流れている信号から送信信号Ｓｐ＿ｂを抽出し、送信信号Ｓｐ＿ｂを第２の同期信号生成部１１３に出力する。
第２の同期信号生成部１１３は、第３のフィルタ１１２から送信信号Ｓｐ＿ｂを受けると、図１に示す第２の同期信号生成部３２と同様に、送信信号Ｓｐ＿ｂに同期している第２のクロック信号Ｃｂを生成し、第２のクロック信号Ｃｂを第２の変換部３３に出力する。
ただし、第２の同期信号生成部１１３は、第３のフィルタ１１２により送信信号Ｓｐ＿ｂが抽出されなくなり、第３のフィルタ１１２からの送信信号Ｓｐ＿ｂの出力が途絶えると、送信信号Ｓｐ＿ｂの出力が途絶える前に生成した第２のクロック信号Ｃｂを第２の変換部３３に出力する。
以下、第２の同期信号生成部１１３の処理手順を具体的に説明する。
【０１０２】
位相比較器１３１は、第３のフィルタ１１２から送信信号Ｓｐ＿ｂを受けると、送信信号Ｓｐ＿ｂの位相と、分周器１３７から出力された分周信号の位相とを比較する。
位相比較器１３１は、送信信号Ｓｐ＿ｂと分周信号との位相差を示す位相差信号をループフィルタ１３２に出力する。
ループフィルタ１３２は、位相比較器１３１から位相差信号を受けると、位相差信号を平滑化して、平滑化後の位相差信号を電圧検出器１３４及びスイッチ１３５のそれぞれに出力する。
【０１０３】
信号検出器１３３は、第３のフィルタ１１２により抽出された送信信号Ｓｐ＿ｂの検出処理を実施する。
信号検出器１３３は、第３のフィルタ１１２により送信信号Ｓｐ＿ｂが抽出されなくなり、送信信号Ｓｐ＿ｂの検出ができなくなると、送信信号Ｓｐ＿ｂが途絶えている旨を示す非検出信号を電圧検出器１３４及びスイッチ１３５のそれぞれに出力する。
【０１０４】
電圧検出器１３４は、ループフィルタ１３２から出力された平滑化後の位相差信号の電圧値を検出し、検出した電圧値を記憶する。
電圧検出器１３４は、信号検出器１３３から非検出信号を受けると、非検出信号を受ける前に記憶している電圧値の中で、最後に記憶した電圧値をスイッチ１３５に出力する。
【０１０５】
スイッチ１３５は、信号検出器１３３から非検出信号が出力されていなければ、ループフィルタ１３２から出力された平滑化後の位相差信号を制御電圧信号として電圧制御発振器１３６に出力する。
スイッチ１３５は、信号検出器１３３から非検出信号を受けると、電圧検出器１３４から出力された電圧値を制御電圧信号として電圧制御発振器１３６に出力する。
【０１０６】
電圧制御発振器１３６は、スイッチ１３５から制御電圧信号を受けると、制御電圧信号に基づいて第２のクロック信号Ｃｂを生成し、第２のクロック信号Ｃｂを分周器１３７及び第２の変換部３３のそれぞれに出力する。
分周器１３７は、電圧制御発振器１３６から第２のクロック信号Ｃｂを受けると、第２のクロック信号Ｃｂを分周し、第２のクロック信号Ｃｂの分周信号を位相比較器１３１に出力する。
【０１０７】
信号検出器１３３から非検出信号が出力されていない状態では、位相比較器１３１、ループフィルタ１３２、スイッチ１３５、電圧制御発振器１３６及び分周器１３７は、ＰＬＬ回路として動作する。
ここでは、伝送線路２ｂ及び伝送線路２ｃのうち、少なくとも１本の伝送線路が切断されているものとしており、伝送線路２ａには、送信信号Ｓｐが流れている。
したがって、信号検出器１３３では、送信信号Ｓｐ＿ｂが検出されるため、信号検出器１３３から非検出信号が電圧検出器１３４及びスイッチ１３５のそれぞれに出力されない。
よって、電圧制御発振器１３６では、送信信号Ｓｐ＿ｂと分周信号との位相差に対応する第２のクロック信号Ｃｂが生成される。
【０１０８】
仮に、伝送線路２ａが切断されて、送信信号Ｓｐ＿ｂが伝送線路２ａを流れなくなると、信号検出器１３３では、送信信号Ｓｐ＿ｂが検出されずに、信号検出器１３３から非検出信号が電圧検出器１３４及びスイッチ１３５のそれぞれに出力される。
したがって、電圧制御発振器１３６では、電圧検出器１３４によって、非検出信号を受ける前に記憶されている電圧値の中で、最後に記憶されている電圧値に基づいて第２のクロック信号Ｃｂが生成される。
よって、伝送線路２ａが切断されて、送信信号Ｓｐ＿ｂが伝送線路２ａを流れなくなっても、第２のクロック信号Ｃｂの生成を継続することができる。
【０１０９】
第２の変換部３３は、第４のフィルタ１１４からサージ信号Ｓｓ＿ｂを受け、第２の同期信号生成部１１３から第２のクロック信号Ｃｂを受けると、実施の形態１と同様に、第２のクロック信号Ｃｂに同期して、サージ信号Ｓｓ＿ｂであるアナログ信号をデジタル信号に変換する。
第２の変換部３３は、当該デジタル信号を第２のデジタル信号Ｄｂとして事故点算出部４０に出力する。
【０１１０】
事故点算出部４０は、実施の形態１と同様に、第１の変換部２３から出力された第１のデジタル信号Ｄａと第２の変換部３３から出力された第２のデジタル信号Ｄｂとから、送電線２の事故点１３を算出する。
【０１１１】
以上より、実施の形態３の事故点標定装置は、送電線２が３本の伝送線路２ａ，２ｂ，２ｃを有しており、送電線２により伝送される送信信号Ｓｐが、三相交流の信号であっても、通信線を介して、電圧情報等を送受信することなく、事故点１３を算出することができる。
【０１１２】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１１３】
この発明は、送電線の損傷位置である事故点を算出する事故点標定装置及び事故点標定方法に適している。
【符号の説明】
【０１１４】
１，２  送電線、２ａ，２ｂ，２ｃ  伝送線路、１１  第１の地点、１２  第２の地点、１３  事故点、２０  第１のサージ検出部、２０ａ  入力端子、２０ｂ，２０ｃ  出力端子、２１  第１の信号分離部、２１ａ  入力端子、２１ｂ  第１の出力端子、２１ｃ  第２の出力端子、２２  第１の同期信号生成部、２２ａ  入力端子、２２ｂ  出力端子、２３  第１の変換部、２３ａ  入力端子、２３ｂ  クロック端子、２３ｃ  出力端子、２４  第１のトリガ信号生成部、２４ａ  入力端子、２４ｂ  出力端子、３０  第２のサージ検出部、３０ａ  入力端子、３０ｂ，３０ｃ  出力端子、３１  第２の信号分離部、３１ａ  入力端子、３１ｂ  第１の出力端子、３１ｃ  第２の出力端子、３２  第２の同期信号生成部、３２ａ  入力端子、３２ｂ  出力端子、３３  第２の変換部、３３ａ  入力端子、３３ｂ  クロック端子、３３ｃ  出力端子、３４  第２のトリガ信号生成部、３４ａ  入力端子、３４ｂ  出力端子、４０  事故点算出部、４０ａ  第１の入力端子、４０ｂ  第２の入力端子、５１  第１のフィルタ、５２  第２のフィルタ、５３  第３のフィルタ、５４  第４のフィルタ、６１  位相差検出部、６２  角周波数検出部、６３  事故点算出処理部、７１  第１の伝送線路、７２  第２の伝送線路、７３  第３の伝送線路、７４  第４の伝送線路、８０  事故点算出部、８０ａ  第１の入力端子、８０ｂ  第２の入力端子、８０ｃ  第３の入力端子、８０ｄ  第４の入力端子、８１  第１の時刻差算出部、８２  第２の時刻差算出部、８３  事故点算出処理部、１００  第１のサージ検出部、１００ａ，１００ｂ，１００ｃ  入力端子、１００ｄ  出力端子、１０１  第１の信号合成部、１０１ａ，１０１ｂ，１０１ｃ  入力端子、１０１ｄ  出力端子、１０２  第１のフィルタ、１０２ａ  入力端子、１０２ｂ  出力端子、１０３  第１の同期信号生成部、１０３ａ  入力端子、１０３ｂ  出力端子、１０４  第２のフィルタ、１０４ａ  入力端子、１０４ｂ  出力端子、１１０  第２のサージ検出部、１１０ａ，１１０ｂ，１１０ｃ  入力端子、１１０ｄ  出力端子、１１１  第２の信号合成部、１１１ａ，１１１ｂ，１１１ｃ  入力端子、１１１ｄ  出力端子、１１２  第３のフィルタ、１１２ａ  入力端子、１１２ｂ  出力端子、１１３  第２の同期信号生成部、１１３ａ  入力端子、１１３ｂ  出力端子、１１４  第４のフィルタ、１１４ａ  入力端子、１１４ｂ  出力端子、１２１  位相比較器、１２２  ループフィルタ、１２３  信号検出器、１２４  電圧検出器、１２５  スイッチ、１２６  電圧制御発振器、１２７  分周器、１３１  位相比較器、１３２  ループフィルタ、１３３  信号検出器、１３４  電圧検出器、１３５  スイッチ、１３６  電圧制御発振器、１３７  分周器。
【図１】
2020044398.tif 000017
【図２】
2020044398.tif 000018
【図３】
2020044398.tif 000019
【図４】
2020044398.tif 000020
【図５】
2020044398.tif 000021
【図６】
2020044398.tif 000022
【図７】
2020044398.tif 000023
【図８】
2020044398.tif 000024
【図９】
2020044398.tif 000025
【図１０】
2020044398.tif 000026
【図１１】
2020044398.tif 000027
【図１２】
2020044398.tif 000028
【手続補正書】
【提出日】令和2年8月3日(2020.8.3)
【手続補正１】
【補正対象書類名】明細書
【補正対象項目名】０００６
【補正方法】変更
【補正の内容】
【０００６】
この発明に係る事故点標定装置は、電力を送信信号として伝送する送電線における第１の地点に一端が接続されており、送電線に損傷が生じることでサージ信号が発生したとき、第１の地点を流れている送信信号に同期して、サージ信号を検出する第１のサージ検出部と、送電線における第１の地点と異なる第２の地点に一端が接続されており、第２の地点を流れている送信信号に同期して、サージ信号を検出する第２のサージ検出部と、第１のサージ検出部により検出されたサージ信号と第２のサージ検出部により検出されたサージ信号とから、送電線の損傷位置である事故点を算出する事故点算出部とを備え、第１のサージ検出部は、第１の地点を流れている信号から、送信信号及びサージ信号のそれぞれを抽出する第１の信号分離部と、第１の信号分離部により抽出された送信信号に同期している第１のクロック信号を生成する第１の同期信号生成部と、第１の同期信号生成部により生成された第１のクロック信号に同期して、第１の信号分離部により抽出されたサージ信号をアナログ信号からデジタル信号に変換し、当該デジタル信号を第１のデジタル信号として事故点算出部に出力する第１の変換部とを備え、第２のサージ検出部は、第２の地点を流れている信号から、送信信号及びサージ信号のそれぞれを抽出する第２の信号分離部と、第２の信号分離部により抽出された送信信号に同期している第２のクロック信号を生成する第２の同期信号生成部と、第２の同期信号生成部により生成された第２のクロック信号に同期して、第２の信号分離部により抽出されたサージ信号をアナログ信号からデジタル信号に変換し、当該デジタル信号を第２のデジタル信号として事故点算出部に出力する第２の変換部とを備え、事故点算出部は、第１の変換部から出力された第１のデジタル信号と第２の変換部から出力された第２のデジタル信号との位相差を検出し、位相差から、事故点を算出するようにしたものである。
【手続補正２】
【補正対象書類名】特許請求の範囲
【補正対象項目名】全文
【補正方法】変更
【補正の内容】
【特許請求の範囲】
【請求項１】
電力を送信信号として伝送する送電線における第１の地点に一端が接続されており、前記送電線に損傷が生じることでサージ信号が発生したとき、前記第１の地点を流れている送信信号に同期して、前記サージ信号を検出する第１のサージ検出部と、
前記送電線における前記第１の地点と異なる第２の地点に一端が接続されており、前記第２の地点を流れている送信信号に同期して、前記サージ信号を検出する第２のサージ検出部と、
前記第１のサージ検出部により検出されたサージ信号と前記第２のサージ検出部により検出されたサージ信号とから、前記送電線の損傷位置である事故点を算出する事故点算出部と
を備え、
前記第１のサージ検出部は、
前記第１の地点を流れている信号から、送信信号及びサージ信号のそれぞれを抽出する第１の信号分離部と、
前記第１の信号分離部により抽出された送信信号に同期している第１のクロック信号を生成する第１の同期信号生成部と、
前記第１の同期信号生成部により生成された第１のクロック信号に同期して、前記第１の信号分離部により抽出されたサージ信号をアナログ信号からデジタル信号に変換し、当該デジタル信号を第１のデジタル信号として前記事故点算出部に出力する第１の変換部とを備え、
前記第２のサージ検出部は、
前記第２の地点を流れている信号から、送信信号及びサージ信号のそれぞれを抽出する第２の信号分離部と、
前記第２の信号分離部により抽出された送信信号に同期している第２のクロック信号を生成する第２の同期信号生成部と、
前記第２の同期信号生成部により生成された第２のクロック信号に同期して、前記第２の信号分離部により抽出されたサージ信号をアナログ信号からデジタル信号に変換し、当該デジタル信号を第２のデジタル信号として前記事故点算出部に出力する第２の変換部とを備え、
前記事故点算出部は、前記第１の変換部から出力された第１のデジタル信号と前記第２の変換部から出力された第２のデジタル信号との位相差を検出し、前記位相差から、前記事故点を算出することを特徴とする事故点標定装置。
【請求項２】
前記第１の信号分離部は、
前記第１の地点を流れている信号から、送信信号を抽出し、抽出した送信信号を前記第１の同期信号生成部に出力する第１のフィルタと、
前記第１の地点を流れている信号から、サージ信号を抽出し、抽出したサージ信号を前記第１の変換部に出力する第２のフィルタとを備え、
前記第２の信号分離部は、
前記第２の地点を流れている信号から、送信信号を抽出し、抽出した送信信号を前記第２の同期信号生成部に出力する第３のフィルタと、
前記第２の地点を流れている信号から、サージ信号を抽出し、抽出したサージ信号を前記第２の変換部に出力する第４のフィルタとを備えていることを特徴とする請求項１記載の事故点標定装置。
【請求項３】
前記事故点算出部は、
前記第１の変換部から出力された第１のデジタル信号の角周波数又は前記第２の変換部から出力された第２のデジタル信号の角周波数を検出し、検出した角周波数と前記位相差から前記事故点を算出することを特徴とする請求項１記載の事故点標定装置。
【請求項４】
前記第１のサージ検出部は、
前記第１の信号分離部により抽出された送信信号に同期している第１のトリガ信号を生成する第１のトリガ信号生成部をさらに備え、
前記第２のサージ検出部は、
前記第２の信号分離部により抽出された送信信号に同期している第２のトリガ信号を生成する第２のトリガ信号生成部をさらに備えており、
前記第１の変換部から出力された第１のデジタル信号を第１の遅延時間だけ遅延させて、前記事故点算出部まで伝送する第１の伝送線路と、
前記第１のトリガ信号生成部により生成された第１のトリガ信号を前記第１の遅延時間だけ遅延させて、前記事故点算出部まで伝送する第２の伝送線路と、
前記第２の変換部から出力された第２のデジタル信号を第２の遅延時間だけ遅延させて、前記事故点算出部まで伝送する第３の伝送線路と、
前記第２のトリガ信号生成部により生成された第２のトリガ信号を前記第２の遅延時間だけ遅延させて、前記事故点算出部まで伝送する第４の伝送線路とを備え、
前記事故点算出部は、
前記第１の伝送線路により伝送された第１のデジタル信号と、前記第２の伝送線路により伝送された第１のトリガ信号と、前記第３の伝送線路により伝送された第２のデジタル信号と、前記第４の伝送線路により伝送された第２のトリガ信号とから、前記事故点を算出することを特徴とする請求項１記載の事故点標定装置。
【請求項５】
前記事故点算出部は、
前記第１の伝送線路により伝送された第１のデジタル信号の立ち上がり時刻と、前記第２の伝送線路により伝送された第１のトリガ信号の立ち上がり時刻との時刻差である第１の時刻差を算出する第１の時刻差算出部と、
前記第３の伝送線路により伝送された第２のデジタル信号の立ち上がり時刻と、前記第４の伝送線路により伝送された第２のトリガ信号の立ち上がり時刻との時刻差である第２の時刻差を算出する第２の時刻差算出部と、
前記第１の時刻差算出部により算出された第１の時刻差と、前記第２の時刻差算出部により算出された第２の時刻差とから、前記事故点を算出する事故点算出処理部とを備えていることを特徴とする請求項４記載の事故点標定装置。
【請求項６】
電力を送信信号として伝送する送電線における第１の地点に一端が接続されており、前記送電線に損傷が生じることでサージ信号が発生したとき、前記第１の地点を流れている送信信号に同期して、前記サージ信号を検出する第１のサージ検出部と、
前記送電線における前記第１の地点と異なる第２の地点に一端が接続されており、前記第２の地点を流れている送信信号に同期して、前記サージ信号を検出する第２のサージ検出部と、
前記第１のサージ検出部により検出されたサージ信号と前記第２のサージ検出部により検出されたサージ信号とから、前記送電線の損傷位置である事故点を算出する事故点算出部と
を備え、
前記送電線は、３本の伝送線路を有しており、前記送電線により伝送される送信信号は、三相交流の信号であり、
前記第１のサージ検出部は、
前記第１の地点を流れている三相交流の信号を合成して第１の合成信号を生成する第１の信号合成部と、
前記３本の伝送線路のうち、いずれか１本の伝送線路における前記第１の地点を流れている信号から、送信信号を抽出する第１のフィルタと、
前記第１のフィルタにより抽出された送信信号に同期している第１のクロック信号を生成する第１の同期信号生成部と、
前記第１の信号合成部により生成された第１の合成信号から、サージ信号を抽出する第２のフィルタと、
前記第１の同期信号生成部により生成された第１のクロック信号に同期して、前記第２のフィルタにより抽出されたサージ信号をアナログ信号からデジタル信号に変換し、当該デジタル信号を第１のデジタル信号として前記事故点算出部に出力する第１の変換部とを備え、
前記第２のサージ検出部は、
前記第２の地点を流れている三相交流の信号を合成して第２の合成信号を生成する第２の信号合成部と、
前記３本の伝送線路のうち、いずれか１本の伝送線路における前記第２の地点を流れている信号から、送信信号を抽出する第３のフィルタと、
前記第３のフィルタにより抽出された送信信号に同期している第２のクロック信号を生成する第２の同期信号生成部と、
前記第２の信号合成部により生成された第２の合成信号から、サージ信号を抽出する第４のフィルタと、
前記第２の同期信号生成部により生成された第２のクロック信号に同期して、前記第４のフィルタにより抽出されたサージ信号をアナログ信号からデジタル信号に変換し、当該デジタル信号を第２のデジタル信号として前記事故点算出部に出力する第２の変換部とを備え、
前記事故点算出部は、前記第１の変換部から出力された第１のデジタル信号と前記第２の変換部から出力された第２のデジタル信号との位相差を検出し、前記位相差から、前記事故点を算出することを特徴とする事故点標定装置。
【請求項７】
前記第１の同期信号生成部は、
前記第１のフィルタにより送信信号が抽出されなくなり、前記第１のフィルタからの送信信号の出力が途絶えると、送信信号の出力が途絶える前に生成した第１のクロック信号を前記第１の変換部に出力し、
前記第２の同期信号生成部は、
前記第３のフィルタにより送信信号が抽出されなくなり、前記第３のフィルタからの送信信号の出力が途絶えると、送信信号の出力が途絶える前に生成した第２のクロック信号を前記第２の変換部に出力することを特徴とする請求項６記載の事故点標定装置。
【請求項８】
電力を送信信号として伝送する送電線における第１の地点に一端が接続されている第１のサージ検出部が、前記送電線に損傷が生じることでサージ信号が発生したとき、前記第１の地点を流れている送信信号に同期して、前記サージ信号を検出し、
前記送電線における前記第１の地点と異なる第２の地点に一端が接続されている第２のサージ検出部が、前記第２の地点を流れている送信信号に同期して、前記サージ信号を検出し、
事故点算出部が、前記第１のサージ検出部により検出されたサージ信号と前記第２のサージ検出部により検出されたサージ信号とから、前記送電線の損傷位置である事故点を算出する
事故点標定方法であって、
前記第１のサージ検出部における第１の信号分離部が、前記第１の地点を流れている信号から、送信信号及びサージ信号のそれぞれを抽出し、
前記第１のサージ検出部における第１の同期信号生成部が、前記第１の信号分離部により抽出された送信信号に同期している第１のクロック信号を生成し、
前記第１のサージ検出部における第１の変換部が、前記第１の同期信号生成部により生成された第１のクロック信号に同期して、前記第１の信号分離部により抽出されたサージ信号をアナログ信号からデジタル信号に変換し、当該デジタル信号を第１のデジタル信号として前記事故点算出部に出力し、
前記第２のサージ検出部における第２の信号分離部が、前記第２の地点を流れている信号から、送信信号及びサージ信号のそれぞれを抽出し、
前記第２のサージ検出部における第２の同期信号生成部が、前記第２の信号分離部により抽出された送信信号に同期している第２のクロック信号を生成し、
前記第２のサージ検出部における第２の変換部が、前記第２の同期信号生成部により生成された第２のクロック信号に同期して、前記第２の信号分離部により抽出されたサージ信号をアナログ信号からデジタル信号に変換し、当該デジタル信号を第２のデジタル信号として前記事故点算出部に出力し、
前記事故点算出部は、前記第１の変換部から出力された第１のデジタル信号と前記第２の変換部から出力された第２のデジタル信号との位相差を検出し、前記位相差から、前記事故点を算出することを特徴とする事故点標定方法。
【請求項９】
電力を送信信号として伝送する送電線における第１の地点に一端が接続されている第１のサージ検出部が、前記送電線に損傷が生じることでサージ信号が発生したとき、前記第１の地点を流れている送信信号に同期して、前記サージ信号を検出し、
前記送電線における前記第１の地点と異なる第２の地点に一端が接続されている第２のサージ検出部が、前記第２の地点を流れている送信信号に同期して、前記サージ信号を検出し、
事故点算出部が、前記第１のサージ検出部により検出されたサージ信号と前記第２のサージ検出部により検出されたサージ信号とから、前記送電線の損傷位置である事故点を算出する
事故点標定方法であって、
前記送電線は、３本の伝送線路を有しており、前記送電線により伝送される送信信号は、三相交流の信号であり、
前記第１のサージ検出部における第１の信号合成部が、前記第１の地点を流れている三相交流の信号を合成して第１の合成信号を生成し、
前記第１のサージ検出部における第１のフィルタが、前記３本の伝送線路のうち、いずれか１本の伝送線路における前記第１の地点を流れている信号から、送信信号を抽出し、
前記第１のサージ検出部における第１の同期信号生成部が、前記第１のフィルタにより抽出された送信信号に同期している第１のクロック信号を生成し、
前記第１のサージ検出部における第２のフィルタが、前記第１の信号合成部により生成された第１の合成信号から、サージ信号を抽出し、
前記第１のサージ検出部における第１の変換部が、前記第１の同期信号生成部により生成された第１のクロック信号に同期して、前記第２のフィルタにより抽出されたサージ信号をアナログ信号からデジタル信号に変換し、当該デジタル信号を第１のデジタル信号として前記事故点算出部に出力し、
前記第２のサージ検出部における第２の信号合成部が、前記第２の地点を流れている三相交流の信号を合成して第２の合成信号を生成し、
前記第２のサージ検出部における第３のフィルタが、前記３本の伝送線路のうち、いずれか１本の伝送線路における前記第２の地点を流れている信号から、送信信号を抽出し、
前記第２のサージ検出部における第２の同期信号生成部が、前記第３のフィルタにより抽出された送信信号に同期している第２のクロック信号を生成し、
前記第２のサージ検出部における第４のフィルタが、前記第２の信号合成部により生成された第２の合成信号から、サージ信号を抽出し、
前記第２のサージ検出部における第２の変換部が、前記第２の同期信号生成部により生成された第２のクロック信号に同期して、前記第４のフィルタにより抽出されたサージ信号をアナログ信号からデジタル信号に変換し、当該デジタル信号を第２のデジタル信号として前記事故点算出部に出力し、
前記事故点算出部が、前記第１の変換部から出力された第１のデジタル信号と前記第２の変換部から出力された第２のデジタル信号との位相差を検出し、前記位相差から、前記事故点を算出することを特徴とする事故点標定方法。
【国際調査報告】
2020044398.tif 000029
2020044398.tif 000030
2020044398.tif 000031